(57)【要約】      （修正有）【課題】複雑な形状、異なる材料、および異なる製造技術を有するゴルフクラブヘッドを製造する能力を向上させる一方で、溶接によるゴルフクラブヘッドの脆弱性を改善する技術を提供する。【解決手段】ゴルフクラブヘッド本体１０２は、外周縁およびストライクフェース１０６の少なくとも一部を含むストライクプレート１０４も含み、ストライクプレートは、ストライクプレートの外周縁と本体との間の周溶接を介して本体に溶接される。ストライクプレートの外周縁は、周溶接を介して本体に溶接されている少なくとも１つの溶接部分と、本体に溶接されていない少なくとも１つの非溶接部分と、を含む。ゴルフクラブヘッド本体は、内部キャビティと、その中に収容される充填材料とを含む。内部キャビティが充填されていない場合の第１ＣＯＲ降下値と、内部キャビティが充填されている場合の第２ＣＯＲ降下値との間の差異は、０〜−０．１である。【選択図】図１
2018110844.tif 000002
【特許請求の範囲】
【請求項１】
ゴルフクラブヘッドであって、
ヒール部分、ソール部分、トウ部分、およびトップ部分を含む本体と、
外周縁およびストライクフェースの少なくとも一部を含み、ストライクプレートの前記外周縁と前記本体との間の周溶接を介して前記本体に溶接されるストライクプレートと、
を含み、
前記ストライクプレートの外周縁は、周溶接を介して前記本体に溶接されている少なくとも１つの溶接部分と、前記本体に溶接されていない少なくとも１つの非溶接部分と、を含む、ゴルフクラブヘッド。
【請求項２】
請求項１に記載のゴルフクラブヘッドであって、前記ストライクプレートは、前記本体のヒール部分、ソール部分、トウ部分、およびトップ部分の間に配置されている、ゴルフクラブヘッド。
【請求項３】
請求項１に記載のゴルフクラブヘッドであって、前記外周縁の少なくとも１つの溶接部分の全長と、前記ストライクプレートの外周縁の総周長の比率は、０．４０〜０．９４である、ゴルフクラブヘッド。
【請求項４】
請求項３に記載のゴルフクラブヘッドであって、前記外周縁の少なくとも１つの溶接部分の全長と、前記ストライクプレートの外周縁の総周長の比率は、０．４５〜０．８０である、ゴルフクラブヘッド。
【請求項５】
請求項１に記載のゴルフクラブヘッドであって、
前記ストライクプレートは、前記ストライクフェースに対して角度が付けられているソールラップ部分を含み、
前記外周縁の少なくとも１つの非溶接部分は、前記ストライクプレートのソールラップ部分に沿って延在している、ゴルフクラブヘッド。
【請求項６】
請求項５に記載のゴルフクラブヘッドであって、
前記本体のソール部分は、スロット縁を含み、
前記ストライクプレートの外周縁の少なくとも１つの非溶接部分は、前記スロット縁から離間しており、
前記ゴルフクラブヘッドは、前記本体のソール部分のスロット縁と、前記ストライクプレートの外周縁の少なくとも１つの非溶接部分との間に画定されるソールスロットを含む、ゴルフクラブヘッド。
【請求項７】
請求項６に記載のゴルフクラブヘッドであって、前記ソールスロット内に配置される充填材料を更に含む、ゴルフクラブヘッド。
【請求項８】
請求項１に記載のゴルフクラブヘッドであって、
前記ストライクプレートの外周縁の少なくとも１つの非溶接部分は、前記本体から離間しており、
前記ゴルフクラブヘッドは、前記ストライクプレートの外周縁の少なくとも１つの非溶接部分と本体との間に画定される間隙を含む、ゴルフクラブヘッド。
【請求項９】
請求項１に記載のゴルフクラブヘッドであって、
前記ストライクプレートの外周縁は、複数の溶接部分および複数の非溶接部分を更に含み、
前記複数の溶接部分は、前記複数の非溶接部分によって互いに離間している、ゴルフクラブヘッド。
【請求項１０】
請求項９に記載のゴルフクラブヘッドであって、前記ストライクプレートの外周縁の複数の溶接部分は、いずれも同一の長さを有する、ゴルフクラブヘッド。
【請求項１１】
請求項９に記載のゴルフクラブヘッドであって、前記ストライクプレートの外周縁の複数の溶接部分は、いずれも異なる長さを有する、ゴルフクラブヘッド。
【請求項１２】
請求項９に記載のゴルフクラブヘッドであって、
前記複数の非溶接部分のうち少なくとも１つの非溶接部分は、前記本体のヒール部分に直接隣接し、
前記複数の非溶接部分のうち少なくとも１つの非溶接部分は、前記本体のトウ部分に直接隣接し、
前記複数の非溶接部分のうち少なくとも１つの非溶接部分は、前記本体のトップ部分に直接隣接し、かつ、
前記複数の非溶接部分のうち少なくとも１つの非溶接部分は、前記本体のソール部分に直接隣接する、
うちの少なくとも２つが当てはまる、ゴルフクラブヘッド。
【請求項１３】
請求項１２に記載のゴルフクラブヘッドであって、
前記複数の非溶接部分のうち少なくとも１つの非溶接部分は、前記本体のヒール部分に直接隣接し、
前記複数の非溶接部分のうち少なくとも１つの非溶接部分は、前記本体のトウ部分に直接隣接し、
前記複数の非溶接部分のうち少なくとも１つの非溶接部分は、前記本体のトップ部分に直接隣接し、かつ、
前記複数の非溶接部分のうち少なくとも１つの非溶接部分は、前記本体のソール部分に直接隣接する、
うちの少なくとも３つが当てはまる、ゴルフクラブヘッド。
【請求項１４】
請求項１３に記載のゴルフクラブヘッドであって、
前記複数の非溶接部分のうち少なくとも１つの非溶接部分は、前記本体のヒール部分に直接隣接し、
前記複数の非溶接部分のうち少なくとも１つの非溶接部分は、前記本体のトウ部分に直接隣接し、
前記複数の非溶接部分のうち少なくとも１つの非溶接部分は、前記本体のトップ部分に直接隣接し、かつ、
前記複数の非溶接部分のうち少なくとも１つの非溶接部分は、前記本体のソール部分に直接隣接している、ゴルフクラブヘッド。
【請求項１５】
請求項１に記載のゴルフクラブヘッドであって、
前記本体は、第１材料から製造され、
前記ストライクプレートは、第２材料から製造され、かつ、
前記第１材料は、前記第２材料とは異なる、ゴルフクラブヘッド。
【請求項１６】
請求項１に記載のゴルフクラブヘッドであって、
前記本体は、プレートインタフェースを更に含み、
前記ストライクプレートは、前記プレートインタフェースと着座係合し、かつ、
前記本体のプレートインタフェースと前記ストライクプレートとの間を周溶接した、ゴルフクラブヘッド。
【請求項１７】
請求項１に記載のゴルフクラブヘッドであって、前記ゴルフクラブヘッドは、アイアンタイプのゴルフクラブヘッドである、ゴルフクラブヘッド。
【請求項１８】
請求項１に記載のゴルフクラブヘッドであって、前記ゴルフクラブヘッドは、メタルウッドタイプのゴルフクラブヘッドである、ゴルフクラブヘッド。
【請求項１９】
ゴルフクラブであって、
ヒール部分、ソール部分、トウ部分、トップ部分、および前記ヒール部分から延在するホーゼルを含む本体と、
外周縁およびストライクフェースの少なくとも一部を含み、ストライクプレートの前記外周縁は、周溶接によって前記本体に溶接されているストライクプレートと、
を含み、
前記周溶接は始点および終点を有しており、前記終点は前記始点とは異なる、
ゴルフクラブヘッドと、
前記ゴルフクラブヘッドのホーゼルに係合し、かつそこから延在しているシャフトと、
前記ゴルフクラブヘッドの位置とは反対のシャフト上の位置でシャフトに固定されるグリップと、
を含む、ゴルフクラブ。
【請求項２０】
ゴルフクラブヘッドであって、
ヒール部分、ソール部分、トウ部分、およびトップ部分を含む本体と、
外周縁およびストライクフェースの少なくとも一部を含み、ストライクプレートの外周縁と本体との間の周溶接によって前記本体に溶接されるストライクプレートと、
を含み、
前記周溶接の溶接長さの合計の、前記ストライクプレートの外周縁の総周長に対する比率が１未満である、ゴルフクラブヘッド。
【請求項２１】
ゴルフクラブヘッドであって、
ヒール部分、ソール部分、トウ部分、およびトップ部分、並びに充填材料、および内部キャビティを含み、前記内部キャビティは前記充填材料を収容するように構成される、本体と、
前記内部キャビティが充填されていないときの第１ＣＯＲ降下値と、
前記内部キャビティが充填されているときの第２ＣＯＲ降下値と、
前記第２ＣＯＲ降下値と前記第１ＣＯＲ降下値との間の差であるＣＯＲ変化値と、を備え、
前記ＣＯＲ変化値は、０〜−０．１である、ゴルフクラブヘッド。
【請求項２２】
請求項２１に記載のゴルフクラブヘッドであって、前記ＣＯＲ変化値は、０〜−０．０５である、ゴルフクラブヘッド。
【請求項２３】
請求項２２に記載のゴルフクラブヘッドであって、前記第１ＣＯＲ降下値は、０〜−０．０５である、ゴルフクラブヘッド。
【請求項２４】
請求項２３に記載のゴルフクラブヘッドであって、前記第２ＣＯＲ降下値は、０〜−０．０５である、ゴルフクラブヘッド。
【請求項２５】
請求項２４に記載のゴルフクラブヘッドであって、
前記充填材料は、二液型ポリウレタンフォームである、ゴルフクラブヘッド。
【請求項２６】
請求項２４に記載のゴルフクラブヘッドであって、
前記充填材料は、熱硬化性である、ゴルフクラブヘッド。
【請求項２７】
請求項２４に記載のゴルフクラブヘッドであって、前記充填材料は、メチレンジフェニルジイソシアネートである、ゴルフクラブヘッド。
【請求項２８】
請求項２４に記載のゴルフクラブヘッドであって、前記充填材料は、硬化後に可撓性を有する、ゴルフクラブヘッド。
【請求項２９】
請求項２１に記載のゴルフクラブヘッドであって、
前記ＣＯＲ変化値は、０〜−０．１である、ゴルフクラブヘッド。
【請求項３０】
ゴルフクラブセットであって、
本体を有する少なくとも１つのゴルフクラブヘッドを含み、前記本体は、ヒール部分、ソール部分、トウ部分、およびトップ部分、並びに充填材料、および内部キャビティを含み、前記内部キャビティは前記充填材料を収容するように構成されており、
前記内部キャビティが充填されていないときの第１ＣＯＲ降下値と、
前記内部キャビティが充填されているときの第２ＣＯＲ降下値と、
前記第２ＣＯＲ降下値と前記第１ＣＯＲ降下値との間の差であるＣＯＲ変化値と、を備え、
前記ＣＯＲ変化値は、０〜−０．１である、ゴルフクラブセット。
【請求項３１】
請求項３０に記載のゴルフクラブセットであって、
前記ゴルフクラブセット内の少なくとも２つのゴルフクラブヘッドのＣＯＲ変化値は、０〜−０．１である、ゴルフクラブセット。
【請求項３２】
請求項３０に記載のゴルフクラブセットであって、少なくとも２つのゴルフクラブヘッドのＣＯＲ変化値の平均は、０〜−０．１である、ゴルフクラブセット。
【請求項３３】
請求項３２に記載のゴルフクラブセットであって、少なくとも２つのゴルフクラブヘッドにおける前記第１ＣＯＲ降下値は、０〜−０．０５である、ゴルフクラブセット。
【請求項３４】
請求項３３に記載のゴルフクラブヘッドであって、少なくとも２つのゴルフクラブヘッドにおける前記第２ＣＯＲ降下値は、０〜−０．０５である、ゴルフクラブヘッド。
【請求項３５】
ゴルフクラブヘッドであって、
ヒール部分、ソール部分、トウ部分、およびトップ部分、並びに少なくとも１つの充填材料、少なくとも１つのポート、および内部キャビティを含み、前記内部キャビティは、前記少なくとも１つのポートを介して前記少なくとも１つの充填材料を収容するよう構成される、本体と、
前記内部キャビティが充填されていないときの第１ＣＯＲ降下値と、
前記内部キャビティが充填されているときの第２ＣＯＲ降下値と、
前記第２ＣＯＲ降下値と前記第１ＣＯＲ降下値との間の差であるＣＯＲ変化値と、を備え、
前記ＣＯＲ変化値は、−０．１超である、ゴルフクラブヘッド。
【請求項３６】
請求項３５に記載のゴルフクラブヘッドであって、プラグにより前記ポートを少なくとも部分的に被覆している、ゴルフクラブヘッド。
【請求項３７】
請求項３５に記載のゴルフクラブヘッドであって、前記ＣＯＲ変化値は、−０．０５超である、ゴルフクラブヘッド。
【請求項３８】
請求項３７に記載のゴルフクラブヘッドであって、前記第１ＣＯＲ降下値は、０〜−０．０５である、ゴルフクラブヘッド。
【請求項３９】
請求項３８に記載のゴルフクラブヘッドであって、前記第２ＣＯＲ降下値は、０〜−０．０５である、ゴルフクラブヘッド。
【請求項４０】
請求項３９に記載のゴルフクラブヘッドであって、
前記少なくとも１つの充填材料は、熱硬化性である、ゴルフクラブヘッド。
【発明の詳細な説明】
【関連技術の相互参照】
【０００１】
本出願は、２０１２年６月８日出願の米国特許仮出願第６１／６５７６７５号の優先権を主張する２０１３年３月１４日出願の米国特許第９０４４６５３号を参照するものであり、これらはいずれも、その全体が参照によって本明細書に組み込まれる。本出願は、２００９年４月２３日出願の米国特許仮出願第６１／２１４４８７号の優先権を主張する２０１０年４月１９日出願の米国特許第８３５３７８５号も参照しており、これらはいずれも、その全体が参照によって本明細書に組み込まれる。本出願は、２００２年９月３日出願の米国特許第６８１１４９６号も参照しており、これはその全体が参照によって本明細書に組み込まれる。本出願は、２０１１年５月１９日出願の米国特許出願第１３/１１１７１５号も参照しており、これはその全体が参照によって本明細書に組み込まれる。本出願は、２０１４年１２月３１日出願の米国特許仮出願第６２／０９９０１２号および２０１４年１２月３１日出願の米国特許仮出願第６２／０９８７０７号の優先権を主張する２０１５年１２月２８日出願の米国特許出願第１４／９８１３３０号を更に参照するものであり、これらは全て、その全体が参照によって本明細書に組み込まれる。
【技術分野】
【０００２】
本発明は、概して、ゴルフクラブに関するものであり、より具体的には、ゴルフクラブヘッドの本体に個別に取り付けられるストライクプレートを有するゴルフクラブヘッドに関する。
【背景技術】
【０００３】
ゴルフ用具の性能は、革新的なクラブおよびクラブデザインの発展により、向上し続けている。ゴルファーのバッグにおける全てのクラブが重要である一方で、スクラッチゴルファーおよび初心者ゴルファーは、多くの一般的に遭遇するプレイ状況において、アイアン、メタルウッド、ハイブリッド、およびドライバーの性能および感触に頼っている。
【０００４】
ゴルフクラブヘッドの製造技術における進歩により、複雑な形状を有するゴルフクラブヘッドの製造が容易になった。例えば、ストライクプレートおよび本体を個別に形成し、取り付けることで、一体成形であり、完全に一体化させる製造技術では達成することが不可能である複雑な形状を有するゴルフクラブヘッドを製造することができる。更に、個別に形成され、取り付けられるストライクプレートを有するゴルフクラブヘッドにより、異なる材料および／または製造技術から製造されたストライクプレートおよび本体の使用を容易化することができる。一般的に、ストライクプレートは、ストライクプレートの外周縁全体の周囲を連続的に延在する周溶接を利用して本体に溶接される。
【０００５】
ストライクプレートを本体に溶接することで、複雑な形状、異なる材料、および異なる製造技術を有するゴルフクラブヘッドを製造する能力を向上させる一方で、溶接によりゴルフクラブヘッドに脆弱性ももたらされる。
【発明の概要】
【発明が解決しようとする課題】
【０００６】
本出願の主題は、当技術分野の現状に応じて、特に、現在利用可能な技術によって完全に解決されていないゴルフクラブおよび関連するゴルフクラブヘッドの短所に応じて開発されたものである。従って、本出願の主題は、従来技術における上述した短所の少なくとも一部を克服するゴルフクラブおよびゴルフクラブヘッドを提供するために開発された。
【課題を解決するための手段】
【０００７】
本明細書に、本体およびストライクプレートを含むゴルフクラブヘッドを記載する。本体は、ヒール部分、ソール部分、トウ部分、およびトップ部分を含む。ストライクプレートは、外周縁およびストライクフェースの少なくとも一部を含む。更に、ストライクプレートは、ストライクプレートの外周縁と本体との間の周溶接を介して本体に溶接する。ストライクプレートの外周縁は、周溶接を介して本体に溶接されている少なくとも１つの溶接部分と、本体に溶接されていない少なくとも１つの非溶接部分と、を含む。この段落の先行する主題は、本開示の実施例１を特徴付ける。
【０００８】
ストライクプレートは、本体のヒール部分、ソール部分、トウ部分、およびトップ部分の間に配置する。この段落の先行する主題は、本開示の実施例２を特徴付ける。ここで、実施例２は、上述した実施例１に記載の主題も含むものとする。
【０００９】
外周縁の少なくとも１つの溶接部分の全長と、ストライクプレートの外周縁の総周長の比率は、０．４０〜０．９４である。この段落の先行する主題は、本開示の実施例３を特徴付ける。ここで、実施例３は、上述した実施例１〜２のいずれか１つに記載の主題も含むものとする。
【００１０】
外周縁の少なくとも１つの溶接部分の全長と、ストライクプレートの外周縁の総周長の比率は、０．４５〜０．８０である。この段落の先行する主題は、本開示の実施例４を特徴付ける。ここで、実施例４は、上述した実施例３に記載の主題も含むものとする。
【００１１】
ストライクプレートは、ストライクフェースに対して角度が付けられているソールラップ部分（sole wrap portion）を含む。外周縁の少なくとも１つの非溶接部分は、ストライクプレートのソールラップ部分に沿って延在する。この段落の先行する主題は、本開示の実施例５を特徴付ける。ここで、実施例５は、上述した実施例１〜４のいずれか１つに記載の主題も含むものとする。
【００１２】
本体のソール部分は、スロット縁を含む。ストライクプレートの外周縁の少なくとも１つの非溶接部分は、スロット縁から離間している。ゴルフクラブヘッドは、本体のソール部分のスロット縁と、ストライクプレートの外周縁の少なくとも１つの非溶接部分との間に画定されるソールスロットを含む。この段落の先行する主題は、本開示の実施例６を特徴付ける。ここで、実施例６は、上述した実施例５に記載の主題も含むものとする。
【００１３】
ゴルフクラブヘッドは、ソールスロット内に配置される充填材料を更に含む。
【００１４】
この段落の先行する主題は、本開示の実施例７を特徴付ける。ここで、実施例７は、上述した実施例６に記載の主題も含むものとする。
【００１５】
ストライクプレートの外周縁の少なくとも１つの非溶接部分は、本体から離間している。ゴルフクラブヘッドは、ストライクプレートの外周縁の少なくとも１つの非溶接部分と本体との間に画定される間隙を含む。この段落の先行する主題は、本開示の実施例８を特徴付ける。ここで、実施例８は、上述した実施例１〜７のいずれか１つに記載の主題も含むものとする。
【００１６】
ストライクプレートの外周縁は、複数の溶接部分および複数の非溶接部分を更に含む。複数の溶接部分は、複数の非溶接部分によって互いに離間している。この段落の先行する主題は、本開示の実施例９を特徴付ける。ここで、実施例９は、上述した実施例１〜８のいずれか１つに記載の主題も含むものとする。
【００１７】
ストライクプレートの外周縁の複数の溶接部分は、いずれも同一の長さを有する。この段落の先行する主題は、本開示の実施例１０を特徴付ける。ここで、実施例１０は、上述した実施例９に記載の主題も含むものとする。
【００１８】
ストライクプレートの外周縁の複数の溶接部分は、いずれも異なる長さを有する。この段落の先行する主題は、本開示の実施例１１を特徴付ける。ここで、実施例１１は、上述した実施例９に記載の主題も含むものとする。
【００１９】
複数の非溶接部分のうち少なくとも１つの非溶接部分は、本体のヒール部分に直接隣接し、複数の非溶接部分のうち少なくとも１つの非溶接部分は、本体のトウ部分に直接隣接し、複数の非溶接部分のうち少なくとも１つの非溶接部分は、本体のトップ部分に直接隣接し、かつ、複数の非溶接部分のうち少なくとも１つの非溶接部分は、本体のソール部分に直接隣接する、うちの少なくとも２つが当てはまる。この段落の先行する主題は、本開示の実施例１２を特徴付ける。ここで、実施例１２は、上述した実施例９〜１１のいずれか１つに記載の主題も含むものとする。
【００２０】
複数の非溶接部分のうち少なくとも１つの非溶接部分は、本体のヒール部分に直接隣接し、複数の非溶接部分のうち少なくとも１つの非溶接部分は、本体のトウ部分に直接隣接し、複数の非溶接部分のうち少なくとも１つの非溶接部分は、本体のトップ部分に直接隣接し、かつ、複数の非溶接部分のうち少なくとも１つの非溶接部分は、本体のソール部分に直接隣接する、うちの少なくとも３つが当てはまる。この段落の先行する主題は、本開示の実施例１３を特徴付ける。ここで、実施例１３は、上述した実施例１２に記載の主題も含むものとする。
【００２１】
複数の非溶接部分のうち少なくとも１つの非溶接部分は、本体のヒール部分に直接隣接している。複数の非溶接部分のうち少なくとも１つの非溶接部分は、本体のトウ部分に直接隣接している。複数の非溶接部分のうち少なくとも１つの非溶接部分は、本体のトップ部分に直接隣接している。複数の非溶接部分のうち少なくとも１つの非溶接部分は、本体のソール部分に直接隣接している。この段落の先行する主題は、本開示の実施例１４を特徴付ける。ここで、実施例１４は、上述した実施例１３に記載の主題も含むものとする。
【００２２】
本体は、第１材料から製造する。ストライクプレートは、第２材料から製造する。第１材料は、第２材料とは異なる。この段落の先行する主題は、本開示の実施例１５を特徴付ける。ここで、実施例１５は、上述した実施例１〜１４のいずれか１つに記載の主題も含むものとする。
【００２３】
本体は、プレートインタフェースを更に含む。ストライクプレートは、プレートインタフェースと着座係合する。本体のプレートインタフェースとストライクプレートとの間を周溶接する。この段落の先行する主題は、本開示の実施例１６を特徴付ける。ここで、実施例１６は、上述した実施例１〜１５のいずれか１つに記載の主題も含むものとする。
【００２４】
ゴルフクラブヘッドは、アイアンタイプのゴルフクラブヘッドである。この段落の先行する主題は、本開示の実施例１７を特徴付ける。ここで、実施例１７は、上述した実施例１〜１６のいずれか１つに記載の主題も含むものとする。
【００２５】
ゴルフクラブヘッドは、メタルウッドタイプのゴルフクラブヘッドである。この段落の先行する主題は、本開示の実施例１８を特徴付ける。ここで、実施例１８は、上述した実施例１〜１６のいずれか１つに記載の主題も含むものとする。
【００２６】
本明細書には、ゴルフクラブヘッド、シャフト、およびグリップを含むゴルフクラブも開示する。ゴルフクラブヘッドは、本体およびストライクプレートを含む。本体は、ヒール部分、ソール部分、トウ部分、トップ部分、およびヒール部分から延在するホーゼルを含む。ストライクプレートは、外周縁およびストライクフェースの少なくとも一部を含む。ストライクプレートの外周縁は、周溶接によって本体に溶接する。周溶接は始点および終点を有しており、終点は始点とは異なる。シャフトは、ゴルフクラブヘッドのホーゼルに係合し、かつそこから延在している。グリップは、ゴルフクラブヘッドの位置とは反対のシャフト上の位置でシャフトに固定する。この段落の先行する主題は、本開示の実施例１９を特徴付ける。
【００２７】
更に、本明細書には、本体およびストライクプレートを含むゴルフクラブヘッドを開示する。本体は、ヒール部分、ソール部分、トウ部分、およびトップ部分を含む。ストライクプレートは、外周縁およびストライクフェースの少なくとも一部を含む。更に、ストライクプレートは、ストライクプレートの外周縁と本体との間の周溶接によって本体に溶接する。ストライクプレートの外周縁の総周長に対する周溶接の溶接長さの合計の比率は１未満である。この段落の先行する主題は、本開示の実施例２０を特徴付ける。
【００２８】
本明細書には、本体を含むゴルフクラブヘッドを記載する。本体は、ヒール部分、ソール部分、トウ部分、およびトップ部分、並びに充填材料、および内部キャビティを含む。内部キャビティは、充填材料を収容するように構成する。内部キャビティが充填されていないとき、第１ＣＯＲ降下値とする。内部キャビティが充填されているとき、第２ＣＯＲ降下値とする。ＣＯＲ変化値は、第２ＣＯＲ降下値と第１ＣＯＲ降下値との間の相違である。ＣＯＲ変化値は、０〜−０．１である。この段落の先行する主題は、本開示の実施例２１を特徴付ける。
【００２９】
ＣＯＲ変化値は０〜−０．０５である。この段落の先行する主題は、本開示の実施例２２を特徴付ける。ここで、実施例２２は、上述した実施例２１に記載の主題も含むものとする。
【００３０】
第１ＣＯＲ降下値は０〜−０．０５である。この段落の先行する主題は、本開示の実施例２３を特徴付ける。ここで、実施例２３は、上述した実施例２２に記載の主題も含むものとする。
【００３１】
第２ＣＯＲ降下値は０〜−０．０５である。この段落の先行する主題は、本開示の実施例２４を特徴付ける。ここで、実施例２４は、上述した実施例２３に記載の主題も含むものとする。
【００３２】
充填材料は、二液型ポリウレタンフォームである。この段落の先行する主題は、本開示の実施例２５を特徴付ける。ここで、実施例２５は、上述した実施例２１〜２４のいずれか１つに記載の主題も含むものとする。
【００３３】
充填材料は、熱硬化性である。この段落の先行する主題は、本開示の実施例２６を特徴付ける。ここで、実施例２６は、上述した実施例２１〜２４のいずれか１つに記載の主題も含むものとする。
【００３４】
充填材料は、メチレンジフェニルジイソシアネートである。この段落の先行する主題は、本開示の実施例２７を特徴付ける。ここで、実施例２７は、上述した実施例２１〜２４のいずれか１つに記載の主題も含むものとする。
【００３５】
充填材料は、硬化後に可撓性を有する。この段落の先行する主題は、本開示の実施例２８を特徴付ける。ここで、実施例２８は、上述した実施例２１〜２４のいずれか１つに記載の主題も含むものとする。
【００３６】
ストライクプレートの外周縁は、複数の溶接部分および複数の非溶接部分を更に含む。複数の溶接部分は、複数の非溶接部分によって互いに離間している。この段落の先行する主題は、本開示の実施例２９を特徴付ける。ここで、実施例２９は、上述した実施例２１に記載の主題も含むものとする。
【００３７】
本明細書には、本体を有する少なくとも１つのゴルフクラブヘッドを含むゴルフクラブセットを更に記載する。本体は、ヒール部分、ソール部分、トウ部分、およびトップ部分、並びに充填材料、および内部キャビティを含む。内部キャビティは、充填材料を収容するように構成する。内部キャビティが充填されていないとき、第１ＣＯＲ降下値である。内部キャビティが充填されているとき、第２ＣＯＲ降下値である。ＣＯＲ変化値は、第２ＣＯＲ降下値と第１ＣＯＲ降下値との間の差である。ＣＯＲ変化値は、０〜−０．１である。この段落の先行する主題は、本開示の実施例３０を特徴付ける。
【００３８】
ゴルフクラブセット内の少なくとも２つのゴルフクラブヘッドのＣＯＲ変化値は、０〜−０．１である。この段落の先行する主題は、本開示の実施例３１を特徴付ける。ここで、実施例３１は、上述した実施例３０に記載の主題も含むものとする。
【００３９】
少なくとも２つのゴルフクラブヘッドのＣＯＲ変化値の平均は、０〜−０．１である。この段落の先行する主題は、本開示の実施例３２を特徴付ける。ここで、実施例３２は、上述した実施例３０〜３１のいずれか１つに記載の主題も含むものとする。
【００４０】
少なくとも２つのゴルフクラブヘッドにおける第１ＣＯＲ降下値は、０〜−０．０５である。この段落の先行する主題は、本開示の実施例３３を特徴付ける。ここで、実施例３３は、上述した実施例３２に記載の主題も含むものとする。
【００４１】
少なくとも２つのゴルフクラブヘッドにおける第２ＣＯＲ降下値は、０〜−０．０５である。この段落の先行する主題は、本開示の実施例３４を特徴付ける。ここで、実施例３４は、上述した実施例３３に記載の主題も含むものとする。
【００４２】
更に、本明細書には、本体を含むゴルフクラブヘッドを記載する。本体は、ヒール部分、ソール部分、トウ部分、およびトップ部分、並びに少なくとも１つの充填材料、少なくとも１つのポート、および内部キャビティを更に含む。内部キャビティは、少なくとも１つのポートを介して少なくとも１つの充填材料を収容するよう構成する。内部キャビティが充填されていないとき、第１ＣＯＲ降下値である。内部キャビティが充填されているとき、第２ＣＯＲ降下値である。ＣＯＲ変化値は、第２ＣＯＲ降下値と第１ＣＯＲ降下値との間の差である。ＣＯＲ変化値は、−０．１超である。この段落の先行する主題は、本開示の実施例３５を特徴付ける。
【００４３】
プラグにより、ポートを少なくとも部分的に被覆する。この段落の先行する主題は、本開示の実施例３６を特徴付ける。ここで、実施例３６は、上述した実施例３５に記載の主題も含むものとする。
【００４４】
ＣＯＲ変化値は、−０．０５超である。この段落の先行する主題は、本開示の実施例３７を特徴付ける。ここで、実施例３７は、上述した実施例３５〜３６のいずれか１つに記載の主題も含むものとする。
【００４５】
第１ＣＯＲ降下値は、０〜−０．０５である。この段落の先行する主題は、本開示の実施例３８を特徴付ける。ここで、実施例３８は、上述した実施例３７に記載の主題も含むものとする。
【００４６】
第２ＣＯＲ降下値は、０〜−０．０５である。この段落の先行する主題は、本開示の実施例３９を特徴付ける。ここで、実施例３９は、上述した実施例３８に記載の主題も含むものとする。
【００４７】
少なくとも１つの充填材料は、熱硬化性である。この段落の先行する主題は、本開示の実施例４０を特徴付ける。ここで、実施例４０は、上述した実施例３９に記載の主題も含むものとする。
【００４８】
本開示の主題の記述される特徴、構造、利点、および／または特性は、１つ以上の実施形態および／または実装形態において、任意の適切な方法で組み合わせることができる。以下の説明では、本開示の主題の実施形態の十分な理解が得られるように、多数の具体的詳細が示されている。本開示の主題は、特定の実施形態または実装形態の特定の特徴、詳細、構成要素、材料、および／または方法のうちの１つ以上がなくても実施され得ることを当業者は理解するであろう。場合によっては、ある実施形態および／または実装形態においては、全ての実施形態または実装形態に存在するとは限らない追加的な特徴および利点が認められる場合もある。更に、場合によっては、本開示の主題の各側面を不明瞭にすることのないように、周知の構造、材料、または動作は詳細に図示されず、あるいは記載されない。本開示の主題の特徴および利点は、以下の説明および添付の特許請求の範囲からより完全に明白になり、または、以下に記載される主題の実施によって知ることができる。
【００４９】
本主題の利点がより容易に理解されるように、添付の図面に示されている具体的な実施形態を参照して、上記で簡単に説明した本主題を更に詳細に説明する。これらの図面は本主題の典型的な実施形態を図示しているにすぎず、従って、本主題の範囲を限定するものとみなすべきではないことを理解した上で、図面を使用して、本主題を更に具体的に、詳細に記述し、説明する。
【図面の簡単な説明】
【００５０】
【図１】本開示の１つ以上の実施例による、アイアンタイプのゴルフクラブヘッドの頂部からの斜視図である。
【図２】本開示の１つ以上の実施例による、図１のゴルフクラブヘッドの正面図である。
【図３】本開示の１つ以上の実施例による、充填材料をソールスロットから除去した、図１のゴルフクラブヘッドの底部からの斜視図である。
【図４】本開示の１つ以上の実施例による、ソールスロットに充填材料を含む、図１のゴルフクラブヘッドの底部からの斜視図である。
【図５】本開示の１つ以上の実施例による、図１のゴルフクラブヘッドの頂部からの分解斜視図である。
【図６】本開示の１つ以上の実施例による、ストライクプレートを除去した、図１のゴルフクラブヘッドの正面からの斜視図である。
【図７】本開示の１つ以上の実施例による、ストライクプレートを除去した、図１のゴルフクラブヘッドの底面図である。
【図８】本開示の１つ以上の実施例による、図１のゴルフクラブヘッドにおけるストライクプレートの正面からの斜視図である。
【図９】本開示の１つ以上の実施例による、図１のゴルフクラブヘッドにおけるストライクプレートの背面からの斜視図である。
【図１０】本開示の１つ以上の実施例による、図２の線１０−１０に沿った、図１のゴルフクラブヘッドのヒール側からの断面斜視図である。
【図１１】本開示の１つ以上の実施例による、図２の線１０−１０に沿った、図１のゴルフクラブヘッドのヒール側からの断面側立面図である。
【図１２】本開示の１つ以上の実施例による、アイアンタイプのゴルフクラブヘッドの正面図である。
【図１３】本開示の１つ以上の実施例による、図１２のゴルフクラブヘッドの正面からの分解斜視図である。
【図１４】本開示の１つ以上の実施例による、アイアンタイプのゴルフクラブヘッドの正面図である。
【図１５】本開示の１つ以上の実施例による、アイアンタイプのゴルフクラブヘッドの正面図である。
【図１６】先行技術による、アイアンタイプのゴルフクラブヘッドの正面図である。
【図１７】本開示の１つ以上の実施例による、アイアンタイプのゴルフクラブヘッドの正面図である。
【図１８】本開示の１つ以上の実施例による、アイアンタイプのゴルフクラブヘッドの正面図である。
【図１９】本開示の１つ以上の実施例による、アイアンタイプのゴルフクラブヘッドの正面図である。
【図２０】本開示の１つ以上の実施例による、メタルウッドタイプのゴルフクラブヘッドの側立面図である。
【図２１】本開示の１つ以上の実施例による、ゴルフクラブヘッドの中央平面に沿った、図１９のゴルフクラブヘッドの断面側立面図である。
【図２２】本開示の１つ以上の実施例による、中空キャビティを有するアイアンタイプのゴルフクラブヘッドの断面側立面図である。
【図２３】本開示の１つ以上の実施例による、ゴルフクラブの製造方法の概略的なフローチャートである。
【図２４】本開示の１つ以上の実施例による、ゴルフクラブヘッドからの分解斜視図である。
【図２５】本開示の１つ以上の実施例による、図２４に示されるゴルフクラブヘッドの中央面を通じた断面図である。
【発明を実施するための形態】
【００５１】
以下に、アイアンタイプのゴルフクラブおよびメタルウッドタイプのゴルフクラブにおけるゴルフクラブヘッドの実施形態を記載するが、記載された原理、方法および設計は、全体的または部分的に、ユーティリティゴルフクラブ（ハイブリッドゴルフクラブとも称される）、ドライバータイプのゴルフクラブ、パタータイプのゴルフクラブ等に適用可能である。
【００５２】
本明細書に記載のゴルフクラブヘッドの多様な実施形態は、周溶接を利用して、ストライクプレートをゴルフクラブヘッドの本体に固定する。ストライクプレートおよび本体を（例えば鋳造することによって）一体構造として一体的に形成するのとは対照的に、ストライクプレートをゴルフクラブヘッドの本体に溶接することにより、ストライクプレートを異なる材料から製造し、または、本体とは異なる製造プロセスによって製造することができる。更に、ストライクプレートを本体に溶接することにより、ゴルフクラブヘッドを独特かつ複雑な形状および構成を有するように製造する能力が促進される。しかしながら、ストライクプレートおよび本体を併せて溶接することで、溶接部における熱影響部および応力集中の発生等の結果も誘発させ、これにより、最終的に、ゴルフクラブヘッドおよびゴルフクラブヘッドのストライクフェースの強度を弱める。本明細書に記載のゴルフクラブヘッドの周溶接は、本体に溶接されていないストライクプレートの外周縁の部分を設けることによって、連続的に、または３６０度に亘ってストライクプレートを本体に溶接したゴルフクラブヘッドと比較して、ゴルフクラブヘッドの強度を増加させる。更に、ストライクプレートの外周縁の非溶接部分を設けることで、ゴルフクラブヘッドのストライクフェースにおける屈曲性も促進し、これにより寛容性および感触を向上させる。
【００５３】
発見された、ストライクプレートの外周縁に非溶接部分を設けることによる利点は、外周縁における非溶接部分の使用を思いとどまらせるであろう、非溶接部分における潜在的な否定的な結果よりも勝っている。例えば、ストライクプレートの外周縁における非溶接部分は、非溶接部分が錆びる可能性、および、外周縁の非溶接部分と溶接部分との交差点の応力集中を増加させ得る。別の例として、ゴルフクラブヘッドにめっきをするのによく使用されるクロムめっきに亀裂が入り、または非溶接部分にファントムラインが生じ得る。ストライクプレートの非溶接部分の導入による潜在的な短所にも関わらず、本開示の発明者らによって発見されたように、非溶接部分を使用することにより非溶接部分に沿った応力集中を減少させ、ストライクフェースの屈曲を促進させる能力により、ストライクプレートの外周縁に非溶接部分を使用することが推奨される。
【００５４】
図１および図２を参照すると、ゴルフクラブヘッド１００の一実施形態は、本体１０２と、本体１０２に溶接されるストライクプレート１０４と、を含む。本体１０２は、トウ部分１１４、ヒール部分１１２、トップ部分１１６（例えば、アイアンタイプのゴルフクラブヘッドにおいてはトップライン部分、並びに、ドライバータイプ、ハイブリッドタイプ、およびメタルウッドタイプのゴルフクラブヘッドにおいてはクラウン部分）、およびソール部分１１８（例えば、ボトム部分）を有する。本体１０２は、ヒール部分１１２から延在するホーゼル１０８を付加的に含む。ホーゼル１０８は、ゴルフフクラブ１０１のシャフトおよびグリップ１１０を受容し、係合するように構成する。シャフトはホーゼル１０８から延在し、グリップはシャフトに、ゴルフクラブヘッド１００の位置とは反対のシャフト上の位置にて固定される。ストライクプレート１０４は、通常のゴルフスイング中に、ゴルフボールに衝撃を与えるように設計されたストライクフェース１０６の少なくとも一部を含む。いくつかの実装形態では、ストライクプレート１０４は、ストライクフェース１０６全体を含む。一般的に、ストライクプレート１０４は、ゴルフクラブヘッド１００の本体１０２に溶接されるゴルフクラブヘッド１００の任意のピースとして画定され、ストライクフェースの少なくとも一部を含む。
【００５５】
一般的に、ゴルフクラブヘッド１００のような多くのアイアンタイプのゴルフクラブヘッドにおいて、ストライクフェース１０６は、ゴルフクラブ１００がアドレスをとっており、ゴルフクラブヘッド１００のロフトを画定しているとき、グラウンドプレーンに対して角度を付けられた平面を有する。換言すると、アイアンタイプのゴルフクラブヘッドのストライクフェース１０６は、一般的に、屈曲面を含まない。従って、アイアンタイプのゴルフクラブヘッド１００のストライクプレート１０４のストライクフェース１０６は、外方に対面する平面を有するストライクフェース１０６の一部として画定される。換言すると、ストライクプレート１０４は、ストライクプレート１０４のソールラップ部分１２２の外面のような屈曲面を含むことができるが、ストライクフェース１０６は、このような屈曲面を含まない。対照的に、メタルウッド、ドライバー、またはハイブリッドゴルフクラブのストライクフェースは、ほぼ直立した軸線の周囲を屈曲する屈曲面を有する。ソールラップ部分１２２が、ほぼ水平な軸線の周囲を包囲している故、メタルウッド、ドライバー、およびハイブリッドゴルフクラブヘッドのストライクプレートのストライクフェースは、水平の軸線とは対照的に、直立した軸線を中心に屈曲し、外方に対面する屈曲面を有するストライクフェース１０６の一部として画定される。
【００５６】
ストライクプレート１０４をストライクフェース１０６に形成し、ストライクフェース１０６により打撃を加えると、ゴルフボールの所望の飛行特徴（例えば、バックスピン）を促進する溝１０７を更に含む。
【００５７】
図５を参照すると、ストライクプレート１０４は、本体１０２とは別個に形成されており、かつ、本体１０２に別個に取り付けられている。本体１０２およびストライクプレート１０４は、同一タイプのプロセスまたは異なるタイプのプロセスを利用して形成することができる。図示する実施形態では、本体１０２は、第１製造プロセスを利用して一体化したモノリシック構造を有するように形成されており、ストライクプレート１０４は、第２製造プロセスを利用して、別個の一体化したモノリシック構造を有するように形成されている。しかしながら、別の実施形態では、本体１０２およびストライクプレート１０４の一方または両方が、各ピースが同一または異なる材料から製造されている多ピース構造を有している。更に、本体１０２は、ストライクプレート１０４と同一の材料またはストライクプレート１０４とは異なる材料から形成することができる。本体１０２は第１材料から製造されており、ストライクプレート１０４は第２材料から製造されている。本体１０２およびストライクプレート１０４を別個に形成および取り付け、かつ、本体１０２およびストライクプレート１０４を同一または異なる材料から製造することにより、製造プロセスおよび使用する材料のタイプに柔軟性を持たせることができ、広範囲の性能、審美的および経済的な結果を達成するゴルフクラブヘッド１００の製造能力を促進させる。
【００５８】
いくつかの実装形態では、第１製造プロセスは、第２製造プロセスと同一タイプのプロセスである。例えば、一実装形態では、第１および第２製造プロセスの両者は鋳造プロセスである。別の実施例として、一実装形態では、第１および第２製造プロセスの両者は鍛造プロセスである。更に別の実施例によれば、一実装形態では、第１および第２製造プロセスの両者は機械加工プロセスである。
【００５９】
しかしながら、いくつかの他の実装形態では、第１製造プロセスは第２製造プロセスとは異なるタイプのプロセスである。いくつかの実施例では、第１製造プロセスは、鋳造プロセス、機械加工プロセス、および鍛造プロセスのうち１つのプロセスであり、また、第２製造プロセスは鋳造プロセス、機械加工プロセス、および鍛造プロセスのうち別のプロセスである。特定の一実施例では、第１製造プロセスは鋳造プロセスであり、第２製造プロセスは鍛造プロセスである。第１製造プロセスおよび／または第２製造プロセスは、その全体が本明細書に組み込まれる特許文献１に記載のような、革新的な一連のダイおよび熱処理を利用するホットプレス鍛造のようなプロセスであってもよい。
【００６０】
第１および第２製造プロセスが同一であろうと異なろうと、本体１０２の第１材料は、ストライクプレート１０４の第２材料と同一でも異なってもよい。第１材料が第２材料とは異なる組成を有する場合、第１材料は、第２材料とは異なる。従って、鋼のような同族であるが、異なる炭素構成要素のような異なる組成特性を有する材料は、異なる材料と見なされる。一実施例では、第１および第２製造プロセスは異なるが、第１および第２材料は同一である。対照的に、別の実施例によれば、第１および第２製造プロセスは同一であるが、第１および第２材料は異なる。更に別の実施例によれば、第１および第２製造プロセスは異なるが、第１および第２材料は異なる。いくつかの実装形態では、第１および第２材料は異なるが、鋼のような類似する材料の同族である。例えば、第１材料を８６２０炭素鋼とし、第２材料を１０２５炭素鋼とすることができる。第２材料と同族内にある第１材料は、本体１０２とストライクプレート１０４との間の溶接の質を向上させる。
【００６１】
ストライクプレート１０４は、マルエージング鋼、マルエージングステンレス鋼、または析出硬化ステンレス鋼から製造することができる。一般的に、マルエージング鋼は、強度が高く、頑丈であり、かつ展性を有する。低炭素である場合、マルエージング鋼は、その強度を炭素以外の金属間物質の析出から得る。原理合金元素は、ニッケル（１５％〜３０％近く）である。これらの鋼に金属間析出物を生成する他の合金元素には、コバルト、モリブデン、およびチタンを含む。一実施形態では、マルエージング鋼はニッケルを１８％含む。マルエージングステンレス鋼は、マルエージング鋼ほどニッケルを含まないが、錆予防のために多量のクロムを含む。ニッケルの含有量が減少したにも関わらず、クロムにより堅牢性を増大させることで、鋼を適切に熱処理すると、マルテンサイト変態することができる。別の実施形態では、マルエージングステンレス鋼Ｃ４５５をストライクプレート１０４として利用する。別の実施形態では、ストライクプレート１０４は、１７−４、１５−５、または１７−７等の析出硬化ステンレス鋼である。
【００６２】
ゴルフクラブヘッド１００の本体１０２は、一実装形態では、１７−４鋼から製造される。しかしながら、別の材料、例えば炭素鋼（例えば、１０２０、１０３０、８６２０、または１０４０炭素鋼）、クロム−モリブデン鋼（例えば、４１４０クロム−モリブデン鋼）、ニッケル−クロム−モリブデン鋼（例えば、８６２０ニッケル−クロム−モリブデン鋼）、オーステナイトステンレス鋼（例えば、３０４、Ｎ５０、またはＮ６０ステンレス鋼（例えば、４１０ステンレス鋼）を使用することができる。
【００６３】
上述されているものに加え、記載される部品の構成要素を形成するのに使用することができる金属および合金のいくつかの例として、限定するわけではないが、チタン合金（例えば、３−２．５、６−４、ＳＰ７００、１５−３−３−３、１０−２−３、または他のアルファ／ニアアルファ、アルファ−ベータ、およびベータ／ニアベータチタン合金）、アルミニウム／アルミニウム合金（例えば、３０００シリーズ合金、５０００シリーズ合金、６０６１−Ｔ６のような６０００シリーズ合金、７０７５のような７０００シリーズ合金）、マグネシウム合金、銅合金、およびニッケル合金が挙げられる。
【００６４】
更に別の実施形態では、ゴルフクラブヘッド１００の本体１０２および／またはストライクプレート１０４は、繊維強化高分子複合材料から製造されており、均質である必要はない。複合材料および複合材料を含むゴルフクラブの構成要素の例は、２０１１年５月１９日出願の特許文献２に記載されており、これはその全体が参照によって本明細書に組み込まれる。
【００６５】
ストライクプレート１０４は、周溶接１２０を介して本体１０２に溶接される。周溶接１２０は、ストライクプレート１０４の外周全体よりも少なく周囲に延在している故、周方向に断続的であり、ストライクプレート１０４の外周の少なくとも一部は、本体１０２に溶接されていない。換言すると、周溶接１２０は、ストライクプレート１０４の外周縁１３３の一部のみの周囲に延在している。従って、ストライクプレート１０４の外周縁１３３の３６０度未満だけ本体１０２に溶接されている。周溶接１２０は、始点とは異なる終点を有する故、断続的な溶接であると見なすことができる。
【００６６】
本体１０２に溶接されていないストライクプレート１０４の外周の部分により、本体１０２に対するストライクプレート１０４の柔軟性の向上を促進する。図３に示すように、ストライクフェース１０６を画定するストライクプレート１０４の外周の全部分は、周溶接１２０を介して本体１０２に溶接される。更に、本体１０２に溶接されていないストライクプレート１０４の外周の部分は、ソールラップ部分１２２に沿って配置される。より具体的には、ストライクプレート１０４のソールラップ部分１２２に沿って画定されるストライクプレート１０４の外周縁１３３または周囲は、本体１０２に溶接されていない。図３に示す実施形態では、ストライクプレート１０４の外周縁１３３が本体１０２に溶接されていないだけでなく、ストライクプレート１０４の外周縁１３３は、ストライクプレート１０４の外周縁１３３と本体１０２との間に間隙が画定されるよう、本体１０２から離間している。この間隙は、ゴルフクラブヘッド１００のソールスロット１２６を画定する。一般的に、ソールスロット１２６は、ゴルフクラブヘッド１００のソールに形成される溝またはチャネルである。ソールスロット１２６は、ストライクフェース１０６にほぼ平行な長手方向に延在しており、長さＬＳＳ（例えば、図３参照）を有する。図１〜図１１に示すように、いくつかの実装形態では、ソールスロット１２６は、貫通スロットまたはソールスロット１２６のソール部分側で開口し、ソールスロット１２６の内部キャビティ側または内側で開口しているスロットである。しかしながら、別の実装形態では、ソールスロット１２６は、貫通スロットではなく、ソールスロット１２６の内部キャビティ側または内側では閉口している。
【００６７】
ソールスロット１２６は、その全体が参照によって本明細書に組み込まれる、２０１３年３月１４日出願の特許文献１に記載の多様な可撓性境界構造（ＦＢＳ）のいずれかであることができる。付加的に、または代替的に、ゴルフクラブヘッド１００は、ゴルフクラブヘッド１００上の任意の多様な他の位置に、１つ以上の別のＦＢＳを含むことができる。
【００６８】
いくつかの実装形態では、ソールスロット１２６は、充填材料１２８で充填されている（例えば、図４および図１１参照）。充填材料１２８は、いくつかの実装形態では、熱可塑性材料、熱硬化性材料等の非金属から製造される。別の実装形態では、ソールスロット１２６は、充填材料１２８で充填されておらず、ソールスロット１２６内に開口した、空の空間を維持している。
【００６９】
一実施形態によれば、充填材料１２８は、最初のうちは、ソールスロット１２６内に注入または挿入される粘性材料とする。スロット、チャネル、または他の可撓性境界構造の中へ設置される充填材料としての使用に適した材料の例には、限定するわけではないが、粘弾性エラストマー類、無機充填材料を含んでいるかまたは含んでいないビニルコポリマー類、硫酸バリウムのような鉱物充填材料を含んでいるかまたは含んでいないポリビニルアセテート、アクリル類、ポリエステル類、ポリウレタン類、ポリエーテル類、ポリアミド類、ポリブタジエン類、ポリスチレン類、ポリイソプレン類、ポリエチレン類、ポリオレフィン類、スチレン／イソプレンブロックコポリマー類、水素添加スチレン系熱可塑性エラストマー類、金属化ポリエステル類、金属化アクリル類、エポキシ類、エポキシとグラファイトの複合材、天然ゴムおよび合成ゴム、圧電セラミックス、熱硬化性ゴムおよび熱可塑性ゴム、発泡性ポリマー類、イオノマー類、低密度繊維ガラス、ビチューメン、シリコン、およびそれらの混合物が挙げられる。金属化ポリエステル類および金属化アクリル類は、金属としてアルミニウムを含むことができる。市販されている材料には、弾性ポリマー材料である、例えば、３Ｍ社のScotchweld（商標）（例えば、DP-105（商標））並びにScotchdamp（商標）、Solbothane, Inc.社のSolbothane（商標）、Soundcoat Company Inc.社のDYAD（商標）およびGP（商標）、Dynamat Control of North America, Inc.社のDynamat（商標）、Pole Star Maritime Group, LLC社のNoViFlex（商標）Sylomer（商標）、Dow Chemical Company社のIsoplast（商標）、Pique Technologies, Inc.社のLegetolex（商標）、および株式会社クラレのハイブラー（商標）等が挙げられる。いくつかの実施形態では、固体充填材料が、スロット、チャネル、または他の可撓性境界構造の中へ押し嵌めされるかまたは接着結合されていてもよい。他の実施形態では、充填材料料を、スロットまたはチャネルの中へ、流し込み、注入、またはそれ以外のやり方で挿入し、その場で硬化させ、十分な硬さまたは弾性のある外側面を形成させてもよい。更に他の実施形態では、充填材料料を、スロットまたはチャネルの中へ設置し、金属、合金、金属系、複合材、硬質プラスチック、弾性エラストマー、または他の適した材料で形成されている弾性キャップまたは他の構造を用いて、その場にシールさせてもよい。
【００７０】
図５および図６を参照すると、本体１０２は、周溶接１２０を介して本体１０２に溶接されるストライクプレート１０４の外周縁１３３の一部を着座係合にて受容するように構成する。より具体的には、本体１０２は、本体１０２のトウ部分１１４、ヒール部分１１２、トップ部分１１６、およびソール部分１１８の間で画定されるプレート開口部１７６を含む。一般的にプレート開口部１７６は、ストライクプレート１０４を受容し、ストライクプレート１０４を本体１０２に固定するのを助ける。プレート開口部１７６は、本体１０２の正面側から本体１０２の後面側に延在している。本体１０２は、付加的に、プレート開口部１７６の周囲の少なくとも一部に沿って本体１０２に形成されるプレートインタフェース１３２を含む。一般的に、プレートインタフェース１３２は、ストライクプレート１０４を本体１０２に対して支持し、ストライクプレート１０４と本体１０２との間の周溶接１２０の形成を促進させることによって、ストライクプレート１０４の本体１０２への取り付けを促す。従って、プレートインタフェース１３２は、ストライクプレート１０４に溶接される、プレート開口部１７６の周囲の少なくとも一部に沿って形成される。図５および図６に図示される実施形態では、ストライクプレート１０４が本体１０２のソール部分１１８にて本体１０２に溶接されていない故、プレートインタフェース１３２は、本体１０２のソール部分１１８におけるプレート開口部１７６の周囲に沿って延在していない。しかしながら、図５および図６に図示される実施形態では、周溶接１２０がストライクプレート１０４と本体１０２との間に、ヒール部分１１２、トウ部分１１４、およびトップ部分１１６に沿って連続的に形成されている故、プレートインタフェース１３２は、ヒール部分１１２、トウ部分１１４、およびトップ部分１１６において、プレート開口部１７６の周囲の一部に沿って形成され、かつ連続的に延在している。他の実施形態によれば、図１２、図１３、および図１６〜図１８に示されるように、周溶接が、ヒール部分１１２、トウ部分１１４、およびトップ部分１１６のうち１つ以上のうちの１つ以上の部分に沿って延在していない故、図示しないが、プレートインタフェースは、プレート開口部の周囲の対応する部分に沿って存在しなくてもよい。
【００７１】
再度、図５および図６を参照すると、プレートインタフェース１３２は、リム１３６およびレッジ１３８を含む。リム１３６は、本体１０２の内部に対面する表面を画定し、レッジ１３８は、本体１０２の正面に対面する表面を画定する。リム１３６は、レッジ１３８に対して横断している。
【００７２】
リム１３６は、ストライクプレート１０４の外周縁１３３に実質的に密着させ、またはストライクプレート１０４の外周縁１３３から少し離れるよう寸法決めする。プレートインタフェース１３２のリム１３６と、ストライクプレート１０４の外周縁１３３との間の嵌合により、本体１０２のリム１３６およびストライクプレート１０４の外周縁１３３の周溶接１２０による突合せ溶接を容易化する。換言すると、周溶接１２０は、プレートインタフェース１３２のリム１３６とストライクプレート１０４の外周縁１３３との間に配置され、それらを溶接する。図６に示すように、リム１３６を、プレートインタフェース１３２を超えて、例えば本体１０２のソール部分１１８に沿って延在させて、ソールラップ部分１２２に配置される外周縁１３３の溶接部分１３４の溶接を容易化してもよい。
【００７３】
周溶接１２０は、その全体が参照によって本明細書に組み込まれる、特許文献３に開示されるような多様な溶接技術のいずれかを利用して形成する。更に、周溶接１２０の特徴およびタイプ（例えば、溶接ビード、溝溶接、表面溶接、タック溶接、プラグ溶接、スロット溶接、摩擦溶接、および抵抗溶接）は、特許文献３に記載のものと同一または類似していてもよい。例えば、一実装形態では、周溶接１２０は、タングステン不活性ガス（ＴＩＧ）または金属不活性ガス（ＭＩＧ）溶接技術のうち１つ以上を利用して形成される。別の実装形態では、周溶接１２０は、レーザ溶接技術またはプラズマ溶接技術のうち１つ以上を利用して形成される。
【００７４】
レッジ１３８は、ストライクプレート１０４の後面に隣接して、ストライクプレート１０４を本体１０２の定位置に支持している。更に、ストライクプレート１０４に対して隣接しているレッジ１３８により、ストライクプレート１０４から本体１０２へのボール打撃荷重の移動が容易になる。
【００７５】
更に図５および図６を参照すると、図１０および図１１と同様に、本体１０２は、ソール部分１１８に連結されており、そこから後方に延在する後部１２９を更に含む。後部１２９は、ヒール部分１１２およびトウ部分１１４の下部にも連結し、そこから外方に延在している。後部１２９は、ソールバー１３１を含み、このソールバー１３１はゴルフクラブヘッド１００の下部の、後部に配置されている。ソールバー１３１は、ストライクプレートおよびゴルフクラブヘッド１００の他の部分に対して、比較的大きな厚みを有しており、それによって、ゴルフクラブヘッド１００の質量の大部分を占め、かつゴルフクラブヘッド１００の重心を比較的下方かつ後方にシフトさせる。後部１２９は、ソールバー１３１の前方に突出する下棚１３０および上棚１４０も含む。下棚１３０および上棚１４０は、後部１２９の下棚１３０と上棚１４０とのそれぞれの間に間隙が画定されるように、ストライクプレート１０４の後方に離間している。下棚１３０と上棚１４０との間に、トップ部分１１６まで上方に延在する内部キャビティ１４２の一部が画定される。図示される実装形態では、内部キャビティ１４２は、ソールスロット１２６に開口している。プレート開口部１７６は、本体１０２の後部に部分的に開口している。
【００７６】
図７を参照すると、スロット縁１４４は、本体１０２のソール部分１１８に形成される。スロット縁１４４は細長く、ソール部分１１８に沿って長手方向に、ストライクフェース１０６にほぼ平行な方向に延在している。スロット縁１４４は、プレート開口部１７６に開口しているか、またはプレート開口部１７６に対面している。しかしながら、図示するように、いくつかの実装形態では、スロット縁１４４の対向端部は、実質的に、ボタンフック形状を有することで、スロット縁１４４の対向端部がプレート開口部１７６から離れるように面するようにする。
【００７７】
図８および図９を参照すると、ストライクプレート１０４は、ストライクフェース１０６に対向する背面１５４を有する。ストライクフェース１０４は、背面１５４から突出する逆円錐１５２を含む。一般的に、逆円錐１５２は、ストライクフェース１０６上の理想的な打撃位置に整列している。逆円錐１５２は、ゴルフクラブヘッド１００により大きなスウィートスポットをもたらし、これにより、容易にミスヒットによる距離の喪失を減少させることができる。外周縁１３３は、ストライクプレート１０４の最外周に沿って延在し、ストライクプレート１０４の最外周を画定している。ストライクプレート１０４の外周縁１３３は、少なくとも１つの溶接部分１３４および少なくとも１つの非溶接部分１５０を含む。図８および図９の図示した実施形態では、ストライクプレート１０４の溶接部分１３４は、非溶接部分１５０の一端から、ソールラップ部分１２２に沿って、ストライクフェース１０６の周囲を、非溶接部分の他端に沿って延在する連続的な端縁である。非溶接部分１５０は、ソールラップ部分１２２の全長に沿って延在し、溶接部分１３４の方向にほぼ垂直な方向に対面している。
【００７８】
次に、図１０および図１１を参照すると、ソールラップ部分１２２は、本体１０２のソール部分１１８の周囲を効率的に包囲して、ゴルフクラブヘッド１００の底部を画定している。従って、ソールラップ部分１２２は、ストライクフェース１０６に対して角度を付けられている。図１０および図１１の図示した実施形態では、ソールラップ部分１２２は、後部１２９の下棚１３０の周囲も効率的に包囲している。ストライクプレート１０４の外周縁１３３の非溶接部分１５０は、本体１０２のスロット縁１４４に対面している。一実装形態では、非溶接部分１５０は、スロット縁１４４に平行であり、長さＬＮＷを有する（例えば、図３参照）。外周縁１３３の非溶接部分１５０とスロット縁１４４との間の間隙は、ゴルフクラブヘッド１００のソールスロット１２６を画定している。従って、非溶接部分１５０は、ソールスロット１２６の前方スロット壁を画定し、スロット縁１４４は、ソールスロット１２６の後方スロット壁を画定している。ストライクプレート１０４の外周縁１３３の非溶接部分とスロット縁１４４との間は、溶接されていない。対照的に、ストライクプレート１０４の外周縁１３３の溶接部分１３４と、本体１０２のリム１３６との間は、溶接されている。
【００７９】
図１０に示すように、第１ポイント９４（ゴルフクラブヘッド１００がグラウンドプレーン９６上の適切なアドレス位置にあるときに、ストライクフェース１０６がグラウンドプレーン９６上で突出するポイント）と、第２ポイント９８（ゴルフクラブヘッド１００がグラウンドプレーン９６上の適切なアドレス位置にあるとき、ソールスロット１２６を二等分する平面がグラウンドプレーン９６上で突出するポイント）との間の距離Ｄ１は、いくつかの実装形態では約３．５ｍｍ〜約８ｍｍ、他の実施形態では約４ｍｍ〜約７ｍｍである。
【００８０】
ソールスロット１２６を効率的にプラグし、破片（例えば、水、草、汚れ等）が内部キャビティ１４２に進入しないように、充填材料１２８をスロット１２６内に配置する。充填材料１２８は、クラブヘッドによりゴルフボールを打った際に生じる振動を減衰させることによる、クラブヘッドの音および感触に対する所望の変更を含む、他の所望の性能目標の達成も支援する。充填材料１２８は、本体１０２またはストライクプレート１０４のいずれかと融合していない故、充填材料１２８は溶接部と見なされない。更に、充填材料１２８は本体１０２またはストライクプレート１０４のいずれよりも極めて脆弱である故、充填材料１２８は溶接部と見なされない。更に、充填材料１２８は非金属である故、溶接部とは見なされない。
【００８１】
いくつかの実施形態によれば、ゴルフクラブヘッド１００のストライクプレート１０４の外周縁１３３の総周長は、約１８５ｍｍ〜約２２０ｍｍまたは約２０９ｍｍ〜約２１４ｍｍである。いくつかの実施形態では、本体１０２のヒール部分１１２の高さは、約２５ｍｍ〜約２７ｍｍである。ある実施形態では、本体１０２のトウ部分１１４の高さは、約５０ｍｍ〜約５２ｍｍである。更にいくつかの実施形態では、本体１０２のソール部分１１８の長さは、約５８ｍｍ〜約６４ｍｍである。いくつかの実施形態によれば、本体１０２の全長は、約５３ｍｍ〜約６５ｍｍである。ある実施形態では、ゴルフクラブヘッド１００のヒールにおけるソール部分１１８の幅は、約１０ｍｍ〜約１２ｍｍである。
【００８２】
次に、図１２〜図１５を参照すると、ゴルフクラブヘッド２００、ゴルフクラブヘッド３００、およびゴルフクラブヘッド４００の各実施形態が示されている。図１２〜図１５の各ゴルフクラブヘッドは、図１〜図１１のゴルフクラブヘッドに類似しており、同様の参照番号は同様の特徴を指している。より具体的には、ゴルフクラブヘッド１００の特徴に類似する図１２〜図１５のゴルフクラブヘッドの特徴は、同一の参照番号であるが、ゴルフクラブヘッド１００の１００−シリーズのフォーマットではなく、異なるシリーズ（例えば、２００−シリーズ、３００−シリーズ、４００−シリーズ等）のフォーマットを有している。従って、特記しない限り、上述したゴルフクラブヘッド１００の特徴の構造、機能、および利点を含む記載は、図１２〜図１５の各ゴルフクラブヘッドの類似する特徴に適用可能である。
【００８３】
図１〜図１１のゴルフクラブヘッドと同様に、ゴルフクラブヘッド２００、ゴルフクラブヘッド３００、およびゴルフクラブヘッド４００は、いずれも、ストライクプレートの非溶接部分によって部分的に画定される少なくとも１つのスロットを含む。しかしながら、図１〜図１１のゴルフクラブヘッド１００とは異なり、各ゴルフクラブヘッド２００、ゴルフクラブヘッド３００、およびゴルフクラブヘッド４００の少なくとも１つのスロットは、ソールスロット（例えば、ゴルフクラブヘッドのソール部分に形成されるスロット）ではない。むしろ、ゴルフクラブヘッド２００、ゴルフクラブヘッド３００、およびゴルフクラブヘッド４００のスロットは、フェーススロット（ゴルフクラブヘッドのストライクフェースに形成されるか、またはゴルフクラブヘッドのストライクフェースに直接隣接するスロット）である。更に、図示しないが、下記の多様な図示した実施形態のフェーススロットはいずれも充填材料を充填することができる。
【００８４】
例えば、図１２および図１３を参照すると、ゴルフクラブヘッド２００は、本体２０２のトウ部分２１４にフェーススロット２６０と、本体２０２のヒール部分２１２にフェーススロット２６２と、を含む。各フェーススロット２６０，２６２は、ストライクプレート２０４の外周縁２３３の各非溶接部分２５０と、本体２０２の各スロット縁２４４との間に画定される。ストライクプレート１０４の外周縁２３３の残部は、周溶接２２０を介して本体２０２に溶接されている溶接部分である。図示するように、一実施例では、ストライクプレート２０４の外周縁２３３の非溶接部分２５０および本体２０２のスロット縁２４４は、それぞれ、外周縁２３３および本体２０２のそれぞれに形成される溝を画定する。非溶接部分２５０およびスロット縁２４４の対向する溝は、併せてフェーススロット２６０，２６２のそれぞれを画定している。
【００８５】
ゴルフクラブヘッド１００とは異なり、周溶接１２０のような単一の溶接部分とは対照的に、周溶接２２０は２つの別個の溶接部分から形成される。換言すると、ストライクプレート２０４の外周縁２３３は、非溶接部分２５０によって互いに分離した２つの溶接部分を含む。周溶接２２０の溶接部分は、本体２０２のトップ部分２１６と本体２０２のソール部分２１８との、それぞれに隣接して配置される。ゴルフクラブヘッド２００のヒール部分２１２およびトウ部分２１４におけるフェーススロット２６０，２６２は、いずれも、ヒール区画およびトウ区画のそれぞれのオフセンターヒットにおけるゴルフクラブヘッド２００の可撓性および撓みを促進させ、これにより、ゴルフクラブヘッド２００の性能を改善する。
【００８６】
別の実施例として、図１４を参照すると、ゴルフクラブヘッド３００は、本体３０２のトウ部分３１４にフェーススロット３６０と、本体３０２のヒール部分３１２にフェーススロット３６２と、本体３０２のトップ部分３１６にフェーススロット３６４と、を含む。各フェーススロット３６０，３６２，３６４は、ストライクプレート３０４の外周縁３３３の各非溶接部分３５０と、本体３０２の各スロット縁３４４との間に画定される。ストライクプレート３０４の外周縁３３３の残部は、周溶接３２０を介して本体３０２に溶接される溶接部分である。ゴルフクラブヘッド２００とは異なり、周溶接３２０は、周溶接２２０のような２つの溶接部分とは対照的に、３つの別個の溶接部分から形成される。換言すると、ストライクプレート３０４の外周縁３３３は、非溶接部分３５０によって互いに分離した３つの溶接部分を含む。周溶接３２０の溶接部分は、それぞれ、本体２０２のソール部分３１８に隣接し、トウ部分３１４およびトップ部分３１６の交差点に隣接し、かつヒール部分３１２およびトップ部分３１６の交差点に隣接して配置される。ゴルフクラブヘッド３００のヒール部分２１２、トウ部分３１４、およびトップ部分３１６のそれぞれにおけるフェーススロット３６０，３６２，３６４は、いずれも、ヒール区画、トウ区画、および高いオフセンターヒットにおけるゴルフクラブヘッド２００の可撓性および撓みを促進させることにより、ゴルフクラブヘッド２００の性能を改善する。
【００８７】
別の実施例によれば、図１５を参照すると、ゴルフクラブヘッド４００は、本体２０２のソール部分４１８にフェーススロット４６６を含む。フェーススロット２６６は、ストライクプレート４０４の外周縁４３３の非溶接部分４５０と、本体４０２のスロット縁４４４との間に画定される。ストライクプレート４０４の外周縁４３３の残部は、周溶接４２０を介して本体４０２に溶接される溶接部分である。ゴルフクラブヘッド４００のソール部分４１８におけるフェーススロット４６６は、低いオフセンターヒットにおけるゴルフクラブ４００の可撓性および撓みを促進させ、ゴルフクラブヘッド４００の性能を改善する。
【００８８】
一般的に、ゴルフクラブヘッドの多様な実施形態における各フェーススロットは、ゴルフクラブヘッドのフェース（例えばストライクフェースに隣接するフェース）の一部に形成される溝またはチャネルである。フェーススロットは、縦方向に細長く、それぞれ長さＬＦＳを有する。図示した実施形態では、本開示のソールスロットおよびフェーススロットはほぼ直線的であるが、他の実施形態では、ソールスロットおよびフェーススロットは、曲線的または非直線的であってもよい。図１２〜図１５に示すように、いくつかの実装形態では、フェーススロットは貫通スロットまたはフェーススロットのストライクフェース側で開口し、かつフェーススロットの内部キャビティ側または裏側で開口しているスロットである。しかしながら、別の実装形態では、フェーススロットは貫通スロットではなく、フェーススロットの内部キャビティ側または裏側で閉口している。
【００８９】
図１２〜図１５は、複数の異なる構成のフェーススロットを有するゴルフクラブヘッドを示しているが、本開示の本質から逸脱することなく、ゴルフクラブヘッドは他の構成のフェーススロットを有することができる。例えば、ゴルフクラブヘッドは、ゴルフクラブヘッドのヒール部分、トウ部分、トップ部分、およびソール部分のそれぞれに１つずつの、４つの別個のフェーススロットを有することができる。更に、図１２〜図１５に示すゴルフクラブヘッドは、ゴルフクラブヘッドの各ヒール部分、トウ部分、トップ部分、およびソール部分につき１つのフェーススロットを示しているが、他の実施形態では、ゴルフクラブヘッドは、ゴルフクラブヘッドのヒール部分、トウ部分、トップ部分、およびソール部分のうち１つ以上に、２つ以上のフェーススロットを含む。
【００９０】
図１６〜図１９を参照すると、より太く、より濃い線で溶接輪郭の配置を強調した、多様なゴルフクラブヘッドが示されている。各ゴルフクラブヘッドは、本体に溶接されるストライクプレートを含む。更に、ゴルフクラブヘッド５００Ｂ〜Ｄは、ゴルフクラブヘッド１００に類似しており、同様の数字は同様の特徴を指している。より具体的には、ゴルフクラブヘッド１００の特徴に類似している図１７〜図１９のゴルフクラブヘッドの特徴は同一の参照番号であるが、ゴルフクラブヘッド１００の１００−シリーズのフォーマットとは異なるシリーズ（例えば、５００−シリーズ）のフォーマットを有する。従って、特記しない限り、上述したゴルフクラブヘッド１００の特徴の構造、機能、および利点を含む記載は、図１７〜図１９の各ゴルフクラブヘッドの類似する特徴に適用可能である。
【００９１】
代表的な従来型のゴルフクラブヘッド５００Ａを図１６に示す。ゴルフクラブヘッド５００Ａは、連続的な溶接５２０Ａまたはストライクプレート５０４Ａの外周縁を３６０度に亘って延在する溶接を有する。対照的に、図１７に示すゴルフクラブヘッド５００Ｂは、周溶接５２０Ｂまたはストライクプレート５０４Ｂの外周縁５３３Ｂの周囲を３６０度に亘り延在しない溶接を有する。より具体的には、周溶接５２０Ｂは、ストライクプレート５０４Ｂの外周縁５３３Ｂの一部（例えば、トップ部分５１６Ｂに隣接する部分およびソール部分５１８Ｂに隣接する部分）のみを中心に延在している。従って、外周縁５３３Ｂは、それぞれがトップ部分５１６Ｂおよびソール部分５１８Ｂのそれぞれに隣接する２つの溶接部分５３４Ｂを含む。ストライクプレート５０４Ｂの外周縁５３３Ｂの残部は、本体５０２Ｂのヒール部分５１２Ｂおよびトウ部分５１４Ｂに、それぞれ隣接して配置される非溶接部分５５０Ｂである。
【００９２】
図１７に示すゴルフクラブヘッド５００Ｂのように、図１８のゴルフクラブヘッド５００Ｃは、周溶接５２０Ｃまたはストライクプレート５０４Ｃの外周縁５３３Ｃの周囲を３６０度に亘り延在しない溶接を有する。しかしながら、ゴルフクラブヘッド５００Ｂとは異なり、ゴルフクラブヘッド５００Ｃの周溶接５２０Ｃは、本体５０２Ｃのヒール部分５１２Ｃ、トウ部分５１４Ｃ，トップ部分５１６Ｃ、およびソール部分５１８Ｃのそれぞれに複数の溶接部分を含む。従って、外周縁５３３Ｃは、本体５０２Ｃのヒール部分５１２Ｃ、トウ部分５１４Ｃ、トップ部分５１６Ｃ、およびソール部分５１８Ｃのそれぞれに隣接する少なくとも２つの溶接部分５３４Ｃを含む。ストライクプレート５０４Ｃの外周縁５３３Ｃの残部は、少なくとも２つの非溶接部分５５０Ｃが、本体５０２Ｃのヒール部分５１２Ｃ、トウ部分５１４Ｃ、トップ部分５１６Ｃ、およびソール部分５１８Ｃのそれぞれに隣接して配置される非溶接部分５５０Ｃである。周溶接５２０Ｃは、ストライクプレート５０４Ｃの周囲にステッチパターンを有すると説明することができる。
【００９３】
図１７のゴルフクラブヘッド５００Ｂと同様に、図１８に示すゴルフクラブヘッド５００Ｄは、周溶接５２０Ｄまたはストライクプレート５０４Ｄの外周縁５３３Ｄの周囲を３６０度に亘り延在しない溶接を有する。しかしながら、周溶接５２０Ｄは、ストライクプレート５０４Ｄの外周縁５３３Ｄが、外周縁５３３Ｄの４つのそれぞれの角部にそれぞれ配置される４つの溶接部分５３４Ｂを含むように構成されている。ストライクプレート５０４Ｄの外周縁５３３Ｄの残部は、本体５０２Ｄのヒール部分５１２Ｄ、トウ部分５１４Ｄ、トップ部分５１６Ｄ、およびソール部分５１８Ｄのそれぞれに隣接して配置される非溶接部分５５０Ｄである。
【００９４】
ゴルフクラブヘッド５００Ｂ〜５００Ｄは、図１２〜図１５の各ゴルフクラブヘッド２００，３００，４００のようなフェーススロットを有しないように示されているが、図１７〜図１９のゴルフクラブヘッド５００Ｂ〜５００Ｄのストライクプレートの外周縁における任意の１つ以上の溶接部分において、ゴルフクラブヘッドは、対応する非溶接部分の１つによって部分的に画定されるフェーススロットを含むことができる。
【００９５】
図１〜図１１および図１７〜図１９のゴルフクラブヘッド１００を参照するが、本開示のゴルフクラブヘッドの全ての実施形態に適用可能であるように、ストライクプレート１０４の外周縁１３３は、総周長を有する。外周縁１３３の総周長は、周方向に外周縁１３３に沿った、始点と、始点と同位置の終点との間の距離として画定される。同様に、周溶接１２０は、溶接長さの合計を有する。複数の溶接セグメントまたは区画を有する周溶接１２０においては、周溶接１２０の溶接長さの合計は、溶接セグメントの個々の溶接長さの合計として画定される。更に、溶接セグメントの個々の長さは、溶接セグメントによって画定される外周縁１３３の溶接部分１３４の個々の長さＬＷと同一である。従って、周溶接１２０の溶接長さの合計は、ストライクプレート１０４の外周縁１３３の溶接部分１３４の全長と同一である。複数の溶接部分１３４を有する外周縁１３３において、溶接部分１３４の全長は、溶接部分１５０の個々の長さＬＷの合計として画定される。それに応じて、外周縁１３３の非溶接部分１５０の全長は、外周縁１３３の総周長と外周縁１３３の溶接部分１３４の全長との間の差と同一である。複数の非溶接部分１５０を有する外周縁１３３において、非溶接部分１５０の全長は、非溶接部分１５０の個々の長さＬＮＷの合計として画定される。
【００９６】
上記に基づいて、外周縁１３３の溶接部分１３４の全長の、ストライクプレート１０４の総周長に対する比率は、１未満である。いくつかの実装形態では、外周縁１３３の溶接部分１３４の全長の、ストライクプレート１０４の総周長に対する比率は、約０．４０〜約０．９４である。更にある実装形態では、外周縁１３３の溶接部分１３４の全長の、ストライクプレート１０４の総周長に対する比率は、約０．４５〜約０．８０である。更なる実装形態によれば、外周縁１３３の溶接部分１３４の全長の、ストライクプレート１０４の総周長に対する比率は、約０．７０〜約０．７５である。
【００９７】
図１７を参照すると、例えば、いくつかの実施形態では、外周縁５３３Ｂの各溶接部分５３４Ｂの長さＬＷは、外周縁５３３Ｂの各非溶接部分５５０Ｂの長さＬＮＷよりも長い。しかしながら、他の実施形態では、図１９に示すように、例えば、外周縁５３３Ｄの各溶接部分５３４Ｄの長さＬＷは、外周縁５３３Ｄの各非溶接部分５５０Ｄの長さＬＮＷよりも短い。図１９にも示すように、例えば、ある実施形態では、外周縁５３３Ｄの溶接部分５３４Ｄのうち少なくとも２つ（例えば、いくつかの実装形態においては全て）は、異なる長さを有する。しかしながら、他の実施形態では、図１８に示すように、例えば、外周縁５３３Ｃの溶接部分５３４Ｃのうち少なくとも２つは、同一の長さを有する。いくつかの実装形態によれば、外周縁５３３Ｃの全ての溶接部分５３４Ｃが、同一の長さを有する。
【００９８】
次に、図２０および図２１を参照すると、ゴルフクラブヘッド６００の別の実施形態が示されている。ゴルフクラブヘッド６００は、ゴルフクラブヘッド１００に類似しており、同様の数字は同様の特徴を指している。より具体的には、ゴルフクラブヘッド１００の特徴に類似している図２０および図２１のゴルフクラブヘッド６００の特徴は同一の参照番号であるが、ゴルフクラブヘッド１００の１００−シリーズのフォーマットとは異なるシリーズ（例えば、６００−シリーズ）のフォーマットを有する。従って、特記しない限り、上述したゴルフクラブヘッド１００の特徴の構造、機能、および利点を含む記載は、図２０および図２１のゴルフクラブヘッド１００の類似する特徴に適用可能である。
【００９９】
アイアンタイプのゴルフクラブヘッドであるゴルフクラブヘッド１００とは対照的に、ゴルフクラブヘッド６００は、メタルウッドタイプのゴルフクラブヘッドまたはドライバータイプのゴルフクラブヘッドである。従って、ゴルフクラブヘッド６００の本体６０２およびストライクプレート６０４は、内部キャビティ１４２よりも極めて大きい内部キャビティ６４２を画定している。例えば、内部キャビティ６４２は、一実装形態では、約１２０ｃｍ２〜２００ｃｍ２のゴルフクラブヘッド６００の変位量を容易化する。しかしながら、いくつかの実装形態では、ゴルフクラブヘッド６０は、約１１０ｃｍ３〜約６００ｃｍ３のヘッド体積を有するように構成することができる。より具体的な実装形態では、ヘッド体積は、約２５０ｃｍ３〜約５００ｃｍ３である。更により具体的な実装形態では、ヘッド体積は、約３００ｃｍ３〜約５００ｃｍ３、約３００ｃｍ３〜約３６０ｃｍ３、約３００ｃｍ３〜約４２０ｃｍ３、または約４２０ｃｍ３〜約５００ｃｍ３である。ゴルフクラブヘッド６００は、約３００ｃｍ３〜約４６０ｃｍ３の体積かつ約１４５ｇ〜約２４５ｇの合計質量を有する。あるいは、ゴルフクラブヘッドは、約１００ｃｍ３〜約２５０ｃｍ３の体積かつ約１４５ｇ〜約２６０ｇの合計質量を有する。ゴルフクラブヘッド６００がハイブリッドゴルフクラブヘッドとして構成されているいくつかの実装形態では、ゴルフクラブヘッド６００は、約６０ｃｍ３〜約１５０ｃｍ３の体積かつ約１４５ｇ〜約２８０ｇの合計質量を有することができる。
【０１００】
ストライクプレート６０４の外周縁６３３は、本体６０２に溶接されている溶接部分６３４と、本体６０２に溶接されていない非溶接部分６５０とを有する。むしろ、非溶接部分６５０は、本体６０２のスロット縁６４４に対面しており、かつそこから離間してゴルフクラブヘッド６００のソールスロット６２６を画定している。図２０に示すように、ソールスロット６２６は、非金属製の充填材料６２８で充填することができる。
【０１０１】
図示した実施形態は、アイアンタイプのゴルフクラブヘッドおよびメタルウッドタイプのゴルフクラブヘッドを示すが、アイアンタイプのゴルフクラブヘッドおよびメタルウッドタイプのゴルフクラブヘッドに関連する特徴、機能、および利点は、ハイブリッドタイプのゴルフクラブヘッド、ドライバータイプのゴルフクラブヘッド、およびパタータイプのゴルフクラブヘッドにも適用可能である。
【０１０２】
上述したように、外周縁６３３の溶接部分６３４の全長の、ストライクプレート６０４の総周長に対する比率は、１未満である。いくつかの実装形態では、外周縁６３３の溶接部分６３４の全長の、ストライクプレート６０４の総周長に対する比率は、約０．４０〜約０．９４である。更にある実装形態では、外周縁６３３の溶接部分６３４の全長の、ストライクプレート６０４の総周長に対する比率は、約０．４５〜約０．８０である。一実装形態によれば、外周縁６３３の溶接部分６３４の全長の、ストライクプレート６０４の総周長に対する比率は、約０．６２５である。更なる実装形態によれば、外周縁６３３の溶接部分６３４の全長の、ストライクプレート６０４の総周長に対する比率は、約０．７０〜約０．７５である。
【０１０３】
ソールスロットを有するゴルフクラブヘッドのいくつかの実施形態によれば、ソールスロットの長さＬＳＳは、約５０ｍｍ〜約６５ｍｍである。一実装形態では、ソールスロットの長さＬＳＳは、約５０ｍｍ〜約６０ｍｍである。別の実装形態では、ソールスロットの長さＬＳＳは、約５５ｍｍ〜約６５ｍｍである。
【０１０４】
ゴルフクラブヘッドのヒールにフェーススロットを有するゴルフクラブヘッドのいくつかの実施形態では、ヒールにおけるフェーススロットの長さＬＦＳは、約１６ｍｍ〜約１９ｍｍである。ゴルフクラブヘッドのトウにフェーススロットを有するゴルフクラブヘッドのいくつかの実施形態では、トウにおけるフェーススロットの長さＬＦＳは、約３３ｍｍ〜約４０ｍｍである。ある実装形態では、トウにおけるフェーススロットの長さＬＦＳは、約３３ｍｍ〜約３７ｍｍである。
【０１０５】
次に、図２２を参照すると、ゴルフクラブヘッド８００の一実施形態が示されている。図２２のゴルフクラブヘッド８００は、図１〜図１１のゴルフクラブヘッド１００に類似しており、同様の数字は同様の特徴を指している。より具体的には、ゴルフクラブヘッド１００の特徴に類似している図２２のゴルフクラブヘッド８００の特徴は同一の参照番号であるが、ゴルフクラブヘッド１００の１００−シリーズのフォーマットとは異なるシリーズ（例えば、８００−シリーズ）のフォーマットを有する。従って、特記しない限り、上述したゴルフクラブヘッド１００の特徴の構造、機能、および利点を含む記載は、図２２のゴルフクラブヘッド８００の類似する特徴に適用可能である。
【０１０６】
上述し、かつ図２２に示したように、ゴルフクラブヘッド８００の一実施形態は、本体８０２と、本体８０２に溶接することができるストライクプレート８０４と、を含む。本体８０２は、トウ部分、ヒール部分、トップ部分８１６（例えば、アイアンタイプのゴルフクラブヘッドにおいてはトップライン部分、並びに、ドライバータイプ、ハイブリッドタイプ、およびメタルウッドタイプのゴルフクラブヘッドにおいてはクラウン部分）、およびソール部分８１８（例えば、ボトム部分）を有する。本体８０２は、ヒール部分から延在するホーゼルを付加的に含む。ホーゼルは、ゴルフクラブのシャフトおよびグリップを受容し、係合するように構成する。本体は、上述したように、ソール部分に形成されるスロット縁８４４と、ソール部分に形成されるソールスロット８２６と、を更に含むことができる。ストライクプレート８０４は、通常のゴルフスイング中に、ゴルフボールに衝撃を与えるように設計されたストライクフェース８０６の少なくとも一部を含む。いくつかの実装形態では、ストライクプレート８０４は、ストライクフェース８０６全体を含む。一般的に、ストライクプレート８０４は、ストライクフェースの少なくとも一部を含むゴルフクラブヘッド８００の任意のピースとして画定される。
【０１０７】
本体８０２は、周溶接８２０を介して本体８０２に溶接されるストライクプレート８０４の外周縁８３３の一部を受容するように構成する。より具体的には、本体８０２は、本体８０２のトウ部分８１４、ヒール部分８１２、トップ部分８１６、およびソール部分８１８の間に画定されるプレート開口部８７６を含む。上述したように、ストライクプレート８０４の外周縁８３３は、少なくとも１つの溶接部分８３４および少なくとも１つの非溶接部分８５０を含むことができる。
【０１０８】
プレートインタフェース８３２のリム８３６と、ストライクプレート８０４の外周縁８３３との間の嵌合により、本体８０２のリム８３６およびストライクプレート８０４の外周縁８３３の周溶接８２０による突合せ溶接を容易化する。上述したように、ストライクプレート８０４は、本体８０２のソール部分８１８の周囲を効率的に包囲して、ゴルフクラブヘッド８００の底部を画定するソールラップ部分８２２を含むことができる。付加的または代替的に、ソールラップ部分８２２は、後部８２９の下棚８３０の周囲を効率的に包囲することができる。
【０１０９】
上述し、かつ図２２に示したように、後部８２９は、ソールバー８３１を含み、このソールバー８３１はゴルフクラブヘッド８００の下部の、後部に配置されている。ソールバー８３１は、ストライクプレートおよびゴルフクラブヘッド８００の他の部分に対して、比較的大きな厚みを有しており、それによって、ゴルフクラブヘッド８００の質量の大部分を占め、かつゴルフクラブヘッド８００の重心（ＣＧ）を比較的下方かつ後方にシフトさせている。後部８２９は、ソールバー８３１の前方に突出する下棚８３０および上棚８４０も含む。下棚８３０および上棚８４０は、後部８２９の下棚８３０と上棚８４０とのそれぞれの間に間隙が画定されるように、ストライクプレート８０４の後方に離間している。下棚８３０と上棚８４０との間に、トップ部分８１６まで上方に延在する内部キャビティ８４２の一部が画定されている。図示される実装形態では、内部キャビティ８４２は、ソールスロット８２６に開口している。プレート開口部８７６は、本体８０２の後部に部分的に開口している。
【０１１０】
キャビティバックタイプまたはマッスルバックタイプのゴルフクラブヘッドを描写する図１〜図１１のゴルフクラブヘッド１００とは対照的に、図２２のゴルフクラブヘッドは、中空キャビティタイプのゴルフクラブヘッドである。より具体的には、ゴルフクラブヘッド１００のストライクプレート１０４の内部キャビティ１４２および背面１５４が包囲されておらず、むしろゴルフクラブヘッド１００の後部に対して開口している一方、ゴルフクラブヘッド８００のストライクプレート８０４の内部キャビティ８４２および背面８５４は、ゴルフクラブヘッド８００の後部を包囲するか、またはゴルフクラブヘッド８００の後部に対して閉口している。ゴルフクラブヘッド８００の後部８２９は、内部キャビティ８４２の後方側を包囲する後壁８７７を更に含む。中空の内部キャビティ８４２を有するゴルフクラブヘッド８００は、ストライクプレート８０４のストライクフェース８０６上のオフセンターヒットにおける許容範囲が増加する等、いくつかの利点をもたらす。いくつかの実施形態では、ゴルフクラブヘッド８００の体積は、約１０ｃｍ３〜約１２０ｃｍ３である。例えば、いくつかの実施形態では、ゴルフクラブヘッド８００は、約２０ｃｍ３〜約１１０ｃｍ３、例えば約３０ｃｍ３〜約１００ｃｍ３、例えば約４０ｃｍ３〜約９０ｃｍ３、例えば約５０ｃｍ３〜８０ｃｍ３、例えば約６０ｃｍ３〜８０ｃｍ３の体積を有する。更に、いくつかの実施形態では、ゴルフクラブヘッド８００は、約１５ｍｍ〜約１００ｍｍの全体の深さを有する。例えば、いくつかの実施形態では、ゴルフクラブヘッド８００は、約２０ｍｍ〜約９０ｍｍ、例えば約３０ｍｍ〜約８０ｍｍ、例えば約４０ｍｍ〜約７０ｍｍの全体の深さを有する。
【０１１１】
キャビティバック、マッスルバック、および中空キャビティのアイアンタイプのゴルフクラブヘッドの他の例は、本明細書に参照によって組み込まれる、２０１５年１２月２８日出願の特許文献４に記載されている。
【０１１２】
いくつかの実装形態では、ゴルフクラブヘッド８００は、内部キャビティ８４２内に少なくとも部分的に配置されるタングステンプラグ８９６のような重み付け要素を含む。更に、本開示のゴルフクラブヘッドの本体は、重み付け要素、カートリッジ、および／またはインサートもしくは重心位置、振動制御あるいは振動減衰、または音響制御あるいは音響減衰のために使用されるような被装着体等の多様な特徴を含むことができる。例えば、特許文献５は、その全体が参照によって本明細書に組み込まれているが、質量変更ピン（mass altering pins）またはカートリッジ重み付け要素（cartridge weighting elements）の取り付けについて開示している。
【０１１３】
一実施形態では、図２４のゴルフクラブは、部分的または全体的に充填材料９０１で充填された内部キャビティ９４２を有する。
【０１１４】
いくつかの実装形態では、充填材料９０１は、熱可塑性材料、熱硬化性材料等の非金属から製造されている。別の実装形態では、内部キャビティ８４２は、充填材料９０１で充填されておらず、クラブヘッド内に開口した、空のキャビティを維持している。
【０１１５】
一実施形態によれば、充填材料９０１は、最初のうちは、クラブヘッドのトウ部分上に配置される注入口９０７を通じてクラブヘッド内に注入または挿入される粘性材料である。注入口９０７は、トップライン、ソール、ヒール、またはトウを含むクラブヘッド９００上の何処にでも配置することができる。クラブヘッド内に配置される充填材料９０１としての使用に適した材料の例には、限定するわけではないが、粘弾性エラストマー類、無機充填材料を含んでいるかまたは含んでいないビニルコポリマー類、硫酸バリウムのような鉱物充填材料を含んでいるかまたは含んでいないポリビニルアセテート、アクリル類、ポリエステル類、ポリウレタン類、ポリエーテル類、ポリアミド類、ポリブタジエン類、ポリスチレン類、ポリイソプレン類、ポリエチレン類、ポリオレフィン類、スチレン／イソプレンブロックコポリマー類、水素添加スチレン系熱可塑性エラストマー類、金属化ポリエステル類、金属化アクリル類、エポキシ類、エポキシとグラファイトの複合材、天然ゴムおよび合成ゴム、圧電セラミックス、熱硬化性ゴムおよび熱可塑性ゴム、発泡性ポリマー類、イオノマー類、低密度繊維ガラス、ビチューメン、シリコン、およびそれらの混合物が挙げられる。金属化ポリエステル類および金属化アクリル類は、金属としてアルミニウムを含むことができる。市販されている材料には、弾性ポリマー材料である、例えば、３Ｍ社のScotchweld（商標）（例えば、DP-105（商標））並びにScotchdamp（商標）、Solbothane, Inc.社のSolbothane（商標）、Soundcoat Company Inc.社のDYAD（商標）およびGP（商標）、Dynamat Control of North America, Inc.社のDynamat（商標）、Pole Star Maritime Group, LLC社のNoViFlex（商標）Sylomer（商標）、Dow Chemical Company社のIsoplast（商標）、Pique Technologies, Inc.社のLegetolex（商標）、および株式会社クラレのハイブラー（商標）等が挙げられる。更に他の実施形態では、充填材料料９０１を、クラブヘッド９００の中へ設置し、プラグ９０５または金属、合金、金属系、複合材、硬質プラスチック、弾性エラストマー、または他の適した材料で形成されている弾性キャップまたは他の構造を用いて、その場にシールさせてもよい。一実施形態では、プラグ９０５は、鋼、アルミニウム、チタニウム、または金属合金から製造可能な金属プラグである。一実施形態では、プラグ９０５は、赤色、緑色、青色、灰色、白色、オレンジ色、紫色、黒色、透明色、黄色、またはメタリック色に着色された陽極酸化アルミニウムプラグである。一実施形態では、プラグ９０５は、クラブヘッド体９００に配置される主要な色調とは異なる色調または対称的な色調である。
【０１１６】
いくつかの実施形態では、充填材料は、ストライクプレート９０４の多様なフェースの厚みを収容する僅かな窪みまたは凹部９０３を含む。換言すると、充填材料９０１に配置される窪みまたは凹部９０３は、ストライクプレート９０４の肉厚部と噛み合わせられるか、またはストライクプレート９０４の肉厚部に打ち込まれる。一実施形態では、ストライクプレート９０４の肉厚部は、ストライクプレート９０４の中心に配置されている。
【０１１７】
一実施形態では、ゴルフクラブヘッド９００は、重り９９６の配置を可能にする窪み９０９を含む。一旦、重り９９６が窪み９０９内に配置され、ストライクプレート９０４が取り付けられると、ポート９０７を通じて充填材料９０１が注入され、プラグ９０５でシールされる。
【０１１８】
一実施形態では、充填材料９０１は、その全体が本明細書に参照によって組み込まれる「the Procedure for Measuring the Velocity Ratio of a Club Head for Conformance to Rule 4-1e, Appendix II Revision 2 February 8, 1999」に記載の全米ゴルフ協会（ＵＳＧＡ）のルールに従って測定すると、反発係数（本明細書では「ＣＯＲ」）に僅かに影響する。
【０１１９】
以下の表１は、充填されている状態および充填されていない状態の両者における、図２４に示す複数の構成のクラブヘッドのキャリブレーションプレートに対するＣＯＲの変化例を提供するものである。キャリブレーションプレートの寸法および重量は、「the Procedure for Measuring the Velocity Ratio of a Club Head for Conformance to Rule 4-1e」のセクション４．０に記載されている。
【０１２０】
異なるキャリブレーションプレート間の僅かな変動を考慮して、以下に記載の値は、キャリブレーションプレートのベース値に対するＣＯＲ変化に関して記載している。例えば、キャリブレーションプレートが０．８３１のＣＯＲ値を有する場合、非充填状態のヘッドにおける実施例１は、０．８３１未満の−０．０１９のＣＯＲ値を有しており、これは実施例１（非充填）に０．８１２のＣＯＲ値を付与する。キャリブレーションプレートに対する所与のヘッドに対するＣＯＲにおける変化は、正確かつ再現性が高い。
【０１２１】
【表１】
2018110844.tif 000003
【０１２２】
表１は、充填材料９０１をゴルフクラブヘッド９００のキャビティ９４２内に導入する前、キャリブレーションプレートに対する非充填ＣＯＲの降下（または第１ＣＯＲ降下値）は、０〜−０．０５、０〜−０．０３、−０．００００１〜−０．０３、−０．００００１〜−０．０２５、−０．００００１〜−０．０２、−０．００００１〜−０．０１５、−０．００００１〜−０．０１、−０．００００１〜−０．００５であることを示している。
【０１２３】
一実施形態では、アイアンのセットの中の複数の非充填ＣＯＲゴルフクラブヘッドにおけるキャリブレーションプレートに対する平均ＣＯＲ降下または損失は、０〜−０．０５、０〜−０．０３、−０．００００１〜−０．０３、−０．００００１〜−０．０２５、−０．００００１〜−０．０２、−０．００００１〜−０．０１５、または−０．００００１〜−０．０１である。
【０１２４】
表１は、充填材料９０１をゴルフクラブヘッド９００のキャビティ９４２内に導入した後、キャリブレーションプレートに対する充填ＣＯＲ降下（または第２ＣＯＲ降下値）が、キャリブレーションプレートに対する非充填ＣＯＲ降下よりも大きいことを更に示している。換言すると、充填ＣＯＲゴルフクラブヘッドへの充填材料９０１の追加は、非充填ＣＯＲヘッドのリバウンドボール速度に対して、フェースからリバウンドした後のボールの速度（Ｖｏｕｔ−速度出力（Velocity Out））を僅かに低下させる。
【０１２５】
表１に示すいくつかの実施形態では、充填ＣＯＲゴルフクラブヘッドにおけるキャリブレーションプレートに対するＣＯＲ降下または損失は、０〜−０．０５、０〜−０．０３、−０．００００１〜−０．０３、−０．００００１〜−０．０２５、−０．００００１〜−０．０２、−０．００００１〜−０．０１５、−０．００００１〜−０．０１、または−０．００００１〜−０．００５である。
【０１２６】
一実施形態では、アイアンのセットの中の複数の充填ＣＯＲゴルフクラブヘッドにおけるキャリブレーションプレートに対する平均ＣＯＲ降下または損失は、０〜−０．０５、０〜−０．０３、−０．００００１〜−０．０３、−０．００００１〜−０．０２５、−０．００００１〜−０．０２、−０．００００１〜−０．０１５、−０．００００１〜−０．０１、または−０．００００１〜−０．００５である。
【０１２７】
しかしながら、他の構成および充填材料と比較した場合に、充填ＣＯＲヘッドにおけるＣＯＲ損失または降下の総量は、最小化される。表１の最後の縦の段は、非充填と充填ゴルフクラブヘッドとの間におけるＣＯＲ変化を示しており、これは、充填ＣＯＲの段から非充填ＣＯＲを引くことによって計算される。充填および非充填クラブヘッドの間のＣＯＲにおける変化（ＣＯＲ変化値）は、０〜−０．１、０〜−０．０５、０〜−０．０４、０〜−０．０３、０〜−０．０２５、０〜−０．０２、０〜−０．０１５、０〜−０．０１、０〜−０．００９、０〜−０．００８、０〜−０．００７、０〜−０．００６、０〜−０．００５、０〜−０．００４、０〜−０．００３、または０〜−０．００２である。注目すべきことに、一クラブヘッドは、充填および非充填ゴルフクラブヘッドの間のＣＯＲにおける変化をゼロとすることを達成することができた。換言すると、充填および非充填クラブヘッドの状態において、ＣＯＲ変化がなかった。いくつかの実施形態では、ＣＯＲ変化値は、−０．１よりも大きく、−０．０５よりも大きく、−０．０４よりも大きく、−０．０３よりも大きく、−０．０２よりも大きく、−０．０１よりも大きく、−０．００９よりも大きく、−０．００８よりも大きく、−０．００７よりも大きく、−０．００６よりも大きく、−０．００５よりも大きく、−０．００４よりも大きく、または−０．００３よりも大きかった。
【０１２８】
いくつかの実施形態では、アイアンゴルフクラブセットの中の少なくとも１本、２本、３本、または４本のアイアンゴルフクラブは、充填および非充填状態の間のＣＯＲにおいて、０〜−０．１、０〜−０．０５、０〜−０．０４、０〜−０．０３、０〜−０．０２、０〜−０．０１、０〜−０．００９、０〜−０．００８、０〜−０．００７、０〜−０．０６、０〜−０．００５、０〜−０．００４、０〜−０．００３、または０〜−０．００２に変化する。
【０１２９】
更に別の実施形態では、セットのうち少なくとも一対または二対のアイアンゴルフクラブは、充填および非充填状態の間でＣＯＲが０〜−０．１、０〜−０．０５、０〜−０．０４、０〜−０．０３、０〜−０．０２、０〜−０．０１、０〜−０．００９、０〜−０．００８、０〜−０．００７、０〜−０．００６、０〜−０．００５、０〜−０．００４、０〜−０．００３、および０〜−０．００２の間で変化する。
【０１３０】
別の実施形態では、セットの中の複数のアイアンゴルフクラブの、充填および非充填状態の間のＣＯＲの変化における平均は、０〜−０．１、０〜−０．０５、０〜−０．０４、０〜−０．０３、０〜−０．０２、０〜−０．０１、０〜−０．００９、０〜−０．００８、０〜−０．００７、０〜−０．００６、０〜−０．００５、０〜−０．００４、０〜−０．００３、および０〜−０．００２である。
【０１３１】
図２５は、図２４に示すゴルフクラブヘッドの中央面に沿った断面図を示している。充填材料９０１は、ソールスロット９２６の上に配置されるキャビティ９４２を充填する。窪みまたは凹部９０３は、ストライクプレート９０４の肉厚部に係合している。
【０１３２】
いくつかの実施形態では、充填材料９０１は、熱硬化性を有し、硬化後には可撓性を有する二液型ポリウレタンフォームである。一実施形態では、二液型ポリウレタンフォームは、任意のメチレンジフェニルジイソシアネート（一種のポリウレタンプレポリマー）または可撓性または剛性を有するシリコンベースのポリウレタンフォームである。
【０１３３】
次に、図２３を参照すると、一実施形態によれば、例えば本明細書に記載のゴルフクラブヘッドのようなゴルフクラブの製造方法７００は、ストライクプレートの外周縁を本体に、ストライクプレートが本体のヒール部分、ソール部分、トウ部分、およびトップ部分の間に配置されるように、周方向に断続的に溶接するステップ（７０２）を含む。更に、方法７００は、ストライクプレートの外周縁と本体との間の間隙を充填材料で充填するステップを含む（７０４）。
【０１３４】
本明細書全体で言及される「一実施形態」、「ある実施形態」、または同様の文言は、実施形態に関連して記載された特定の特徴、構造、または特性が、本開示の少なくとも１つの実施形態に含まれることを意味する。本書を通じて記載されている「一実施形態では」「ある実施形態では」または同様の文言は、全て同一の実施形態を意味してもよいが、必ずしもそうでなくてもよい。同様に、「実装態様」という語は、本開示の１つ以上の実施形態に関連して記載される特定の特徴、構造、または特性を有する１つの実装態様を意味するが、１つの実装態様が１つ以上の実施形態に関連付けらないということを表す明示的な相互関係がない限り、実装態様は、１つ以上の実施形態に関連付けられてもよい。
【０１３５】
本明細書に記載の概略フローチャートは一般的に、論理フローチャートとして記載されている。従って、記載の順序および名付けられたステップは、提示される方法の一実施形態を示す。示される方法の１つ以上のステップもしくはそれらの部分の機能、論理、または効果と均等である他のステップおよび方法が、想起され得る。更に、用いられている形式およびシンボルが、本方法の論理的ステップを説明するために提供されており、本方法の範囲を限定するものではないことは、理解されよう。フローチャートにおいて様々なタイプの矢印および線が用いられ得るが、これらに対応する方法の範囲を限定するものではないことは理解されよう。実際、いくつかの矢印またはその他のコネクタは、本方法の論理的フローのみを示すために用いられ得る。例えば、矢印は、記載の方法の列挙されたステップの間の、不特定の長さの待機時間またはモニタリング時間を示し得る。更に、具体的な方法が発生する順序は、図示されている対応するステップの順序に厳密に従うこともあるが、従わないこともある。
【０１３６】
上述の記載において、「上」「下」「上方」「下方」「水平」「垂直」「左」「右」「上部」「下部」などの特定の表現が用いられていることがある。これらの語は、必要に応じ、相関関係を取り扱う際に説明に何らかの明確性をもたらすために用いられている。しかしながら、これらの語には絶対的な関係、位置、および／または向きを含意させる意図はない。例えば、ある物体に関して、単純にこの物体の上下を逆にすることで「上方の」表面が「下方の」表面となり得る。それでもなお、これは同じ物体である。更に、「含む」「備える」「有する」などの語およびこれらの変化形は、そうでない旨の明示的な記載がない限り、「〜を含むがそれらに限定されない」ことを意味する。列挙されたアイテムは、別途明示的な記載のない限り、それらアイテムのうちの任意のものまたは全てが互いを排除するおよび／または互いを含むものであることを含意しない。「１つの（ａ）」「１つの（ａｎ）」および「（ｔｈｅ）」などの語は、そうでない旨の明示的な記載がない限り、「１つ以上の」という意味も表す。更に、「複数」の語は「少なくとも２つ」と定義され得る。いくつかの実施形態における「約」とは、所定の値の＋／−５％以内を意味するよう定義され得る。
【０１３７】
更に、本明細書において、１つの要素が他の要素に「連結される」とは、直接的な連結および間接的な連結を含み得る。直接的連結とは、１つの要素が別の要素と連結し、且つ何らかの形で接触していることと定義され得る。間接的連結とは、互いに直接接触しておらず、連結された要素間に１つ以上の追加の要素を有する、２つの要素間の連結と定義され得る。更に、１つの要素を他の要素に固定することとは、本書で使用される場合、直接的な固定および間接的な固定を含み得る。更に、「隣接」とは、本明細書で使用される場合、必ずしも接触を意味しない。例えば、ある要素は、別の要素と接触せずに、その要素の近隣にあることができる。
【０１３８】
本明細書で使用されるように、列挙されたアイテムと共に使用される「〜のうちの少なくとも１つ」という表現は、列挙されたアイテムのうちの１つ以上の種々の組み合わせが使用可能であり、かつ、列挙されたアイテムのうち１つだけあればよいということを意味する。アイテムとは、特定の物体、物品、またはカテゴリのことであり得る。即ち、「〜のうちの少なくとも１つ」は、アイテムの任意の組み合わせ、あるいはいくつかのアイテムが列挙された中から使用され得ることを意味するが、列挙されたアイテムの全てが必要なわけではない。例えば、「アイテムＡ、アイテムＢ、およびアイテムＣのうちの少なくとも１つ」は、例えば、「アイテムＡ」、「アイテムＡとアイテムＢ」、「アイテムＢ」、「アイテムＡとアイテムＢとアイテムＣ」、または「アイテムＢとアイテムＣ」を意味し得る。いくつかの場合には、「アイテムＡ、アイテムＢ、およびアイテムＣのうちの少なくとも１つ」は、例えば、限定するものではないが、「２個のアイテムＡと１個のアイテムＢと１０個のアイテムＣ」、「４個のアイテムＢと７個のアイテムＣ」、または他の何らかの好適な組み合わせを意味し得る。
【０１３９】
別途提示されない限り、「第１」「第２」などの用語は、本明細書では単に符号として使用され、それらの用語が表すアイテムに順序的、位置的、または序列的な要件を課すことは意図していない。更に、例えば「第２」のアイテムに言及することによって、例えば「第１」のもしくはより小さい数のアイテム、および／または、「第３」のもしくはより大きい数のアイテムの存在が、必要とされることまたは除外されることはない。
【０１４０】
本明細書で使用される場合、特定の機能を実行するように「構成される」システム、装置、構造、物品、要素、構成要素、またはハードウェアは、更なる修正後に特定の機能を実行する潜在力を単に有するのではなく、変更を行うことなく実際に特定の機能を実行する能力がある。換言すると、特定の機能を実行するように「構成される」システム、装置、構造、物品、要素、構成要素、またはハードウェアは、特定の機能を実行する目的で具体的に選択、形成、実施、利用、プログラム、および／または設計される。本明細書で使用される場合、「〜するように構成される」とは、システム、装置、構造、物品、要素、構成要素、またはハードウェアが更なる修正なしに特定の機能を実行することを可能にする、システム、装置、構造、物品、要素、構成要素、またはハードウェアの現存する特性を意味する。本開示のために、特定の機能を実行するように「構成される」ものとして説明されるシステム、装置、構造、物品、要素、構成要素、またはハードウェアは、更にまたはあるいは、その機能を実行するように「適合される」および／または「動作可能な」ものとして説明される場合がある。
【０１４１】
本主題はその精神または本質的な特徴から逸脱することなく、他の特定の形態で実施することができる。説明した実施形態は、あらゆる点で単なる例示に過ぎず、限定的でないと解釈すべきである。特許請求の範囲の均等物の意味および範囲内に属する全ての変更はその範囲内に包含されるものである。
【先行技術文献】
【特許文献】
【０１４２】
【特許文献１】米国特許第９０４４６５３号明細書
【特許文献２】米国特許出願第１３／１１１７１５号明細書
【特許文献３】米国特許第８３５３７８５号明細書
【特許文献４】米国特許出願第１４／９８１３３０号明細書
【特許文献５】米国特許第６８１１４９６号明細書
【図１】
2018110844.tif 000004
【図２】
2018110844.tif 000005
【図３】
2018110844.tif 000006
【図４】
2018110844.tif 000007
【図５】
2018110844.tif 000008
【図６】
2018110844.tif 000009
【図７】
2018110844.tif 000010
【図８】
2018110844.tif 000011
【図９】
2018110844.tif 000012
【図１０】
2018110844.tif 000013
【図１１】
2018110844.tif 000014
【図１２】
2018110844.tif 000015
【図１３】
2018110844.tif 000016
【図１４】
2018110844.tif 000017
【図１５】
2018110844.tif 000018
【図１６】
2018110844.tif 000019
【図１７】
2018110844.tif 000020
【図１８】
2018110844.tif 000021
【図１９】
2018110844.tif 000022
【図２０】
2018110844.tif 000023
【図２１】
2018110844.tif 000024
【図２２】
2018110844.tif 000025
【図２３】
2018110844.tif 000026
【図２４】
2018110844.tif 000027
【図２５】
2018110844.tif 000028
【外国語明細書】
2018110844000001.pdf